(57)【要約】【課題】前面扉の不正開放を抑制することのできる遊技機を提供する。【解決手段】パチンコ機１０は、遊技機本体の前面側部において開閉可能な前面扉と、前面扉を施錠する施錠手段とを具備する。施錠手段は、遊技機本体の後面側部に沿って固定される取付部、及び取付部のうち遊技機本体の中心側の端縁から後方に延びる支持部を備える基枠と、取付部に固定されるシリンダ錠と、シリンダ錠の操作に連動して支持部に沿って摺動する摺動部材と、摺動部材の摺動に連動して、前面扉に設けられた被係合部と係合する施錠位置と係合状態が解除される解錠位置との間を移動する係合部とを具備する。摺動部材は、シリンダ錠の配設位置に対応して遊技機本体の中心側に膨出する膨出部を備える。また、膨出部を覆う施錠カバーが設けられている。【選択図】      図１
2014100483.tif 000002
【特許請求の範囲】
【請求項１】
遊技機本体の前面側に設けられ、前記遊技機本体の一側部において開閉可能に支持される前面扉と、
閉状態にある前記前面扉の開放を規制する施錠手段とを備え、
前記施錠手段は、
前後方向に延び、鍵が挿入されて回動操作されるシリンダ錠と、
前記シリンダ錠が取着固定される取付面を有し、前記遊技機本体の前記一側部とは反対側の他側部又は前記遊技機本体の他側部に対応する前記前面扉の側部に沿って取付固定される取付部を具備する基枠と、
前記取付部の延在方向に沿って上下に摺動可能に設けられた摺動部材と、
前記基枠に対して相対移動可能に設けられた係合部とを備え、
前記前面扉の閉状態においては、前記前面扉又は前記遊技機本体のうち前記施錠手段が設けられていない方に設けられた被係合部に対し前記係合部が係合して、前記前面扉の開放が規制され、
前記シリンダ錠の回動操作が行われることで、前記摺動部材が当該回動操作に連動して特定方向に摺動するとともに、前記係合部が当該摺動部材の摺動に連動して前記被係合部と係合する施錠位置から前記被係合部との係合状態が解除される解錠位置へと移動して、前記前面扉の開放が許容され、
前記摺動部材は、前記シリンダ錠の配設位置に対応する部位において、前記取付面と交差する方向に延び、かつ、前記シリンダ錠から離間する方向に膨出する膨出部を備え、
少なくとも前記膨出部のうち、前記摺動部材の摺動方向と交差する方向に延び、かつ、前記シリンダ錠よりも前記前面扉を開放する際の前記摺動部材の摺動方向側に位置する段差部位を覆う施錠カバーを設けたことを特徴とする遊技機。
【発明の詳細な説明】
【技術分野】
【０００１】
本発明は、遊技機に関するものである。
【背景技術】
【０００２】
遊技機の一種としてパチンコ機等がある。このようなパチンコ機においては、遊技領域を有する遊技機本体の前面側に、前面扉が設けられるのが一般的である。この前面扉には、通常、板ガラスが装着された窓部が形成されており、この窓部を介して遊技領域が視認可能となっている。このような前面扉は、遊技機本体、例えば、パチンコ機でいえば、矩形状の内枠に対して開閉可能に支持される。
【０００３】
また、パチンコ機には、前面扉が不正に開放されることを防止するための施錠装置が設けられている（例えば特許文献１参照）。例えば、施錠装置は、内枠の側部に沿って取付固定される施錠装置本体（基枠）と、施錠装置本体に固定されるシリンダ錠と、施錠装置本体に対して上下に相対移動可能に設けられた摺動部材及び上下一対の係合部とを備えている。施錠装置本体は、その取付状態において内枠の後面と当接し、縦方向に長尺状となる取付板と、該取付板のうち内枠の中心側の端縁から遊技機本体後方に延びる支持板とを具備し、断面略Ｌ字状に構成されている。摺動部材は、支持板の内側に沿って設けられ、シリンダ錠への解錠操作に連動して上下に摺動するようになっている。また、係合部は、摺動部材の内側に沿って設けられ、前面扉に設けられた鉤部と係合する施錠位置と、鉤部との係合状態が解除される解錠位置との間で移動可能に設けられている。
【０００４】
そして、前面扉を閉状態とする際に、前面扉の鉤部と係合部とが係合することにより、前面扉の開放が規制されることとなる。一方、シリンダ錠への解錠操作に連動して摺動部材が所定方向（例えば下方）に摺動すると、当該摺動に連動して一対の係合部が同時に施錠位置から解錠位置へと移動し、鉤部との係合状態が解除されるようになっている。これにより前面扉の開放が許容されることとなる。
【先行技術文献】
【特許文献】
【０００５】
【特許文献１】特開２００３−３２５９１４号公報
【発明の概要】
【発明が解決しようとする課題】
【０００６】
周知の通り、遊技機には遊技領域や各種制御基板等が設けられており、近年、これらが大型化及び複雑化する傾向にある。そして、これらの設置スペースを確保するべく、遊技機の枠部のスリム化が図られており、このような事情等に伴い、上記施錠装置についてもその横幅が極力小さくなるよう構成されている。
【０００７】
しかしながら、施錠装置のうちシリンダ錠の配設位置に対応する部位については、該シリンダ錠の設置スペースを確保する必要がある。このため、摺動部材に対し、シリンダ錠を避けるようにして内側に膨出する膨出部を形成することで、シリンダ錠の設置スペースを確保している。
【０００８】
ところが、上記のように膨出部が形成される場合には、摺動部材において該摺動部材の摺動方向と交差する方向に延びる段差部が形成されることとなる。このように摺動部材に段差部が形成される場合には、当該段差部に金属片等を引っ掛けて、摺動部材を摺動させることが可能となってしまう。つまり、内枠と外枠との間から無理やり金属片等を遊技機内部にねじ込み、当該金属片等を段差部に当てて押圧することで摺動部材を摺動させ、前面扉を開放するといった不正行為が行われるおそれがある。
【０００９】
なお、上述した課題は、パチンコ機に限られるものではなく、スロットマシン、パチンコ機とスロットマシンとの複合機等の他の遊技機にも該当する問題である。
【００１０】
本発明は、上記例示した問題点等を解決するためになされたものであり、その目的は、前面扉の不正開放を抑制することのできる遊技機を提供することにある。
【課題を解決するための手段】
【００１１】
本発明の遊技機は、
遊技機本体の前面側に設けられ、前記遊技機本体の一側部において開閉可能に支持される前面扉と、
閉状態にある前記前面扉の開放を規制する施錠手段とを備え、
前記施錠手段は、
前後方向に延び、鍵が挿入されて回動操作されるシリンダ錠と、
前記シリンダ錠が取着固定される取付面を有し、前記遊技機本体の前記一側部とは反対側の他側部又は前記遊技機本体の他側部に対応する前記前面扉の側部に沿って取付固定される取付部を具備する基枠と、
前記取付部の延在方向に沿って上下に摺動可能に設けられた摺動部材と、
前記基枠に対して相対移動可能に設けられた係合部とを備え、
前記前面扉の閉状態においては、前記前面扉又は前記遊技機本体のうち前記施錠手段が設けられていない方に設けられた被係合部に対し前記係合部が係合して、前記前面扉の開放が規制され、
前記シリンダ錠の回動操作が行われることで、前記摺動部材が当該回動操作に連動して特定方向に摺動するとともに、前記係合部が当該摺動部材の摺動に連動して前記被係合部と係合する施錠位置から前記被係合部との係合状態が解除される解錠位置へと移動して、前記前面扉の開放が許容され、
前記摺動部材は、前記シリンダ錠の配設位置に対応する部位において、前記取付面と交差する方向に延び、かつ、前記シリンダ錠から離間する方向に膨出する膨出部を備え、
少なくとも前記膨出部のうち、前記摺動部材の摺動方向と交差する方向に延び、かつ、前記シリンダ錠よりも前記前面扉を開放する際の前記摺動部材の摺動方向側に位置する段差部位を覆う施錠カバーを設けたことを特徴としている。
【発明の効果】
【００１２】
本発明によれば、前面扉の不正開放を抑制することができる。
【図面の簡単な説明】
【００１３】
【図１】一実施の形態におけるパチンコ機を示す正面図である。
【図２】外枠と内枠とに対して、前面枠セット及び下皿ユニットを開放した状態を示す斜視図である。
【図３】外枠を示す斜視図である。
【図４】パチンコ機より前面枠セットを取外した状態を示す正面図である。
【図５】遊技盤の構成を示す正面図である。
【図６】ガラスユニットの構成を示す正面図である。
【図７】パチンコ機の構成を示す背面図である。
【図８】内枠および遊技盤の構成を示す背面図である。
【図９】外枠に対して内枠を開放した状態を示す背面側の斜視図である。
【図１０】施錠装置の正面図である。
【図１１】施錠装置の右側面図である。
【図１２】施錠装置の左側面図である。
【図１３】施錠装置の背面図である。
【図１４】施錠装置の正面右側の斜視図である。
【図１５】施錠装置の背面左側の斜視図である。
【図１６】施錠装置の背面右側の斜視図である。
【図１７】取付状態にある施錠カバーの構成を示す正面図である。
【図１８】取付状態にある施錠カバーの構成を示す部分斜視図である。
【図１９】施錠カバーの構成を示す正面側の斜視図である。
【図２０】施錠カバーの構成を示す背面側の斜視図である。
【図２１】パチンコ機の主な電気的構成を示すブロック図である。
【図２２】内枠、施錠装置、及び施錠カバーを示す分解斜視図である。
【図２３】内枠、施錠装置、及び施錠カバーを示す分解斜視図である。
【図２４】内枠、施錠装置、及び施錠カバーを示す断面図である。
【図２５】ねじの斜視図である。
【図２６】別の実施形態における施錠装置及び施錠カバーを示す断面図である。
【図２７】別の実施形態における施錠装置及び施錠カバーを示す断面図である。
【図２８】別の実施形態における施錠装置及び施錠カバーを示す断面図である。
【図２９】別の実施形態における施錠装置及び施錠カバーを示す断面図である。
【発明を実施するための形態】
【００１４】
以下、パチンコ遊技機（以下、単に「パチンコ機」という）の一実施形態を、図面に基づいて詳細に説明する。図１はパチンコ機１０の正面図である。図２は、外枠１１と内枠１２とに対して、前面枠セット１４及び下皿ユニット１３を開放した状態を示す斜視図である。図３は外枠を示す斜視図である。図４は、パチンコ機１０より前面枠セット１４を取外した状態を示す正面図である。但し、図２では、遊技盤３０及びガラスユニット１３７を省略して示している。また、図４では、遊技盤３０面上の遊技領域内の構成を空白で示している。
【００１５】
図１、図２等に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。内枠１２は、パチンコ機１０の正面から見て左側に上下に延びる開閉軸線を軸心に、前方側に開放できるようになっている。
【００１６】
ここで、外枠１１について図３を参照しつつ説明する。外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持されている。また、外枠１１の右辺部には、後述する施錠装置Ｇ１の鉤部材１９２，１９３に対応して、上下一対の爪馬８３，８４が取付固定されている。爪馬８３，８４は、その先端部が後側に向けて略直角に折り曲げられることにより所謂折り返し部８３ａ，８４ａを備えている。
【００１７】
さらに、本実施形態における外枠１１下部には、樹脂製の幕板飾り８５が取着されている。幕板飾り８５上面には、金属製の滑り部材８６，８７が設けられ、これにより内枠１２開閉時における摺動の円滑性が確保されている。また、幕板飾り８５の上面奥部には、上方に突出するリブ８８が一体形成されている。該リブ８８の上端には前面側に屈曲形成された図示しない返し部が一体形成されており、これにより内枠１２との間に隙間が形成されにくくなっている。また、外枠１１の内面には、内枠１２を閉状態とする際に、内枠１２の背面側に設けられた部材（例えば、後述する施錠装置Ｇ１や各種制御基板等）の外枠１２内側への挿通を許容するべく、切欠き部８９が形成されている。特に、本実施形態では、外枠１１の右辺部に対し、内枠１２の閉状態において、後述する施錠装置Ｇ１の摺動操作部１９９を内側に収容する収容凹部８９ａが形成されている。
【００１８】
図１、図２の説明に戻り、内枠１２には、その最下部に下皿ユニット１３が開閉可能に取付けられているとともに、下皿ユニット１３を除く範囲に対応して、前面枠セット１４が開閉可能に取付けられている。下皿ユニット１３及び前面枠セット１４は、内枠１２と同様に、パチンコ機１０の正面から見て左側に上下に延びる開閉軸線を軸心に、前方側に開放できるようになっている。
【００１９】
下皿ユニット１３には、ほぼ中央部に球受皿としての下皿１５が設けられ、排出口１６より排出された遊技球が下皿１５内に貯留可能になっている。尚、符号２４はスピーカＳＰからの音出力口であり、符号２５は下皿１５内から遊技球を下方へと排出する球抜きレバーである。本実施形態では、スピーカＳＰは、音出力口２４の直裏面側に設けられている（図２参照）。
【００２０】
下皿１５よりも右方には、手前側に突出して遊技球発射ハンドル（以下単に「ハンドル」という）１８が配設されている。また、下皿１５の左方には、灰皿２６が設けられている。尚、ハンドル１８には、図示しないタッチセンサや、ハンドル１８の操作部の操作量を検出するための図示しない操作量検出手段（電気抵抗の変化を検出することで操作量を検出できるようになっている）が設けられている。
【００２１】
一方、下皿１５の上方においては、上皿１９が前面枠セット１４に対し一体的に設けられている。上皿１９は、遊技球を一旦貯留し、一列に整列させながら遊技球発射装置（球発射手段）の方へ導出する球受皿である。尚、上皿１９から溢れる遊技球は、後記するファール球通路６３、球排出部２９、及び排出口１６を介して下方側に案内されて下皿１５に貯留される（図４参照）。
【００２２】
図４等に示すように、内枠１２は、外形が矩形状の樹脂ベース２０を主体に構成されており、樹脂ベース２０の中央部には略円形状の窓孔２１が形成されている。樹脂ベース２０の後側には遊技盤３０（図５参照）が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。なお、樹脂ベース２０には、前面枠セット１４の開放を検知する開放検知センサ２２が設けられている。また、図示しないが内枠１２の開放を検知する開放検知スイッチも設けられている。
【００２３】
尚、内枠１２の前面側には、その周囲（前面枠セット１４に対応する部分）においてリブＲ１が突設されている。そして、前面枠セット１４の閉時には、前面枠セット１４がリブＲ１の内側に嵌まり込んだ状態となる。この構成により、前面枠セット１４と内枠１２との間の隙間から針金等を進入させることが困難となり、不正防止の役割を果たす。
【００２４】
次に、遊技盤３０の構成について図５を用いて説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、後述する検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球はこのアウト口３６を通って図示しない球排出路の方へと案内されるようになっている。また、遊技盤３０には、遊技球の落下方向を適宜分散、調整等するために多数の釘が植設されているとともに、風車２７等の各種部材（役物）が配設されている。
【００２５】
可変表示装置ユニット３５には、第２契機対応口３４の通過をトリガとして普通図柄を変動表示する普通図柄表示装置４１と、第１契機対応口３３への入賞をトリガとしてＬＥＤを色換え表示（変動表示）する特別表示装置４３と、特別表示装置４３による変動表示に合わせて装飾図柄を変動表示する可変表示装置としての装飾図柄表示装置４２とが設けられている。
【００２６】
普通図柄表示装置４１は、普通図柄として「○」又は「×」を点灯表示可能に構成されており、遊技球が第２契機対応口３４を通過する毎に例えば普通図柄を「○」→「×」→「○」→・・・という具合に高速で切換表示（変動表示）し、その変動表示が「○」図柄（当選図柄）で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１による普通図柄の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００２７】
なお、普通図柄は、複数のランプの点灯態様を切換えることにより変動表示される構成の他、装飾図柄表示装置４２（液晶表示装置）の一部で変動表示される構成等であってもよい。保留ランプ４４も同様に、装飾図柄表示装置４２の一部で表示される構成であってもよい。
【００２８】
特別表示装置４３は、普通図柄表示装置４１の普通図柄の右側方に設けられ、赤、緑、青の発光色を有する三色発光ダイオード（三色ＬＥＤ）により構成されている。この特別表示装置４３についても、主制御装置２６１によって表示内容が直接的に制御される。本実施形態では、この特別表示装置４３によって大当たりか否かが確定的に表示されるようになっている。
【００２９】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。なお、本実施形態では、装飾図柄表示装置４２は８インチサイズの液晶ディスプレイを備える。また、可変表示装置ユニット３５には、装飾図柄表示装置４２を囲むようにしてセンターフレーム４７が配設されている。
【００３０】
可変入賞装置３２は、通常は遊技球が入賞できない又は入賞し難い閉状態になっており、大当たり（特別遊技状態の発生）の際に、遊技球が入賞しやすい開状態とされる。より詳しくは、第１契機対応口３３に対し遊技球が入賞すると、特別表示装置４３は、３色ＬＥＤを赤→緑→青→赤→・・・という具合に高速で色換え表示（変動表示）し、所定時間が経過すると、いずれかの色に決定表示する。高速の色換え表示とは、例えば４ｍｓｅｃ毎に赤、緑、青を順番に表示するという具合である。このとき、大当たり抽選に当選したことを意味する赤又は緑で決定表示（例えば数秒間停止）されると、大当たり状態が発生する。また、特別表示装置４３が３色ＬＥＤを赤又は緑で決定表示する場合、これを受けて、装飾図柄表示装置４２には、特定の図柄の組合わせが補助的に表示されることになる。そして、可変入賞装置３２の大入賞口が所定の開放状態となり、遊技球が入賞しやすい状態（大当たり状態）になるよう構成されている。具体的には、所定時間の経過又は所定個数の入賞を１ラウンドとして、可変入賞装置３２の大入賞口が所定回数（所定ラウンド数）繰り返し開放される。
【００３１】
また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００３２】
また、遊技盤３０には、遊技球発射装置から発射された遊技球を遊技盤３０上部へ案内するレール部材としてのレールユニット５０が取り付けられており、ハンドル１８の回動操作に伴い発射された遊技球はレールユニット５０を通じて所定の遊技領域に案内されるようになっている。レールユニット５０は内レール構成部５１と外レール構成部５２とを有する。
【００３３】
内レール構成部５１の先端部分（図５の左上部）には戻り球防止部材５３が取着されている。これにより、一旦、内レール構成部５１及び外レール構成部５２間の球案内通路から遊技盤３０の上部へと案内された遊技球が再度球案内通路内に戻ってしまうといった事態が防止される。また、外レール構成部５２には、遊技球の最大飛翔部分に対応する位置（図５の右上部：外レール構成部５２の先端部に相当する部位）に返しゴム５４が取着されている。従って、所定以上の勢いで発射された遊技球は、返しゴム５４に当たって例えば遊技盤３０の略中央部側へ戻される。尚、遊技領域は、レールユニット５０の内周部（内外レール構成部５１，５２）により略円形状に区画された領域である（但し、内外レール構成部５１，５２の並行部分である球案内通路の領域を除く）。
【００３４】
図４の説明に戻り、前記樹脂ベース２０において、窓孔２１（遊技盤３０）の下方には、遊技球発射装置としての遊技球発射ユニット７０が取付けられている。遊技球発射ユニット７０は、樹脂ベース２０に固定された金属製のベース板７１と、ベース板７１に取付けられた発射装置７２と、発射装置７２の先端側において発射装置７２の長手方向に平行に延びるようにしてベース板７１に取付けられた発射レール７３とを備えている。さらに、遊技球発射ユニット７０は、上皿１９側から案内されてくる遊技球を発射レール７３の基端部（図の右端部）に１球ずつ案内するべくベース板７１に取付けられた球送り機構７４と、発射レール７３の基端部上に載置される遊技球を支持して位置決めするべくベース板７１に取付けられた位置決め部材７５とを備えている。
【００３５】
発射レール７３は、発射装置７２より発射された直後に遊技球を案内するためのものであって、所定の発射角度（打ち出し角度）となるよう直線的に延びている。従って、ハンドル１８の回動操作に伴い発射された遊技球は、まずは発射レール７３に沿って斜め上方に打ち出され、その後前述した通りレールユニット５０の球案内通路を通じて所定の遊技領域に案内されるようになっている。
【００３６】
また、本実施形態では、発射装置７２として、従来一般的に採用されていたモータ及び発射槌の組み合わせではなく、リニアソレノイドを採用している。すなわち、発射装置７２は、発射レール７３と平行に延びるプランジャ７６を具備している。そして、発射装置７２が励磁状態と非励磁状態とに交互に切替えられることにより、プランジャ７６が出没することとなる。そして、プランジャ７６の突出の度に、位置決め部材７５によって所定位置に位置決めされた遊技球が発射レール７３から発射されるのである。なお、ハンドル１８の操作量に基づき、プランジャ７６の突出速度が適宜調整され（ストローク量はほぼ一定）、これにより、遊技球の発射速度ひいては飛翔量が調整されるようになっている。
【００３７】
また、発射レール７３とレールユニット５０との間には所定間隔の隙間があり、この隙間より下方にファール球通路６３が形成されている。当該ファール球通路６３は、下皿ユニット１３の閉状態において排出口１６と連通される球排出部２９と連通している。従って、仮に、遊技球発射装置から発射された遊技球が戻り球防止部材５３まで至らずファール球として球案内通路内を逆戻りする場合には、そのファール球がファール球通路６３、球排出部２９、及び排出口１６を介して下皿１５に排出される。
【００３８】
また、図４中の符号６７は上皿１９に通ずる排出口であり、この排出口６７を介して遊技球が上皿１９に排出される。排出口６７には開閉式のシャッタ６８が取り付けられている。当該シャッタ６８は、その下辺部に沿って設けられた軸部を軸心として回動可能となっており、前面枠セット１４を開放した状態（図２の状態）ではバネ等の付勢力によりシャッタ６８が排出口６７をほぼ閉鎖するようになっている。また、前面枠セット１４を閉じた状態（図１の状態）では、当該前面枠セット１４の裏面に設けられた球通路樋６９（図２参照）により、シャッタ６８が押し開けられるようになっており、排出口６７と上皿１９とが連通された状態となる。なお、前面枠セット１４の開放状態（但し、下皿ユニット１３は閉状態）においては、遊技球は下皿１５へ排出されるようになっている。
【００３９】
また、樹脂ベース２０には窓孔２１の左上方において略小判形状の小窓９７が設けられ、小窓９７に対応して遊技盤３０の左上部にも略小判形状の孔部９８（図５参照）が設けられている。そして、後述する前面枠セット１４の環状電飾部１０２等と接続される各種電気配線（図示略）が小窓９７及び孔部９８を通して本パチンコ機１０の背面側から導かれている。
【００４０】
加えて、内枠１２の左端部には、前面枠セット１４及び下皿ユニット１３の支持機構として、支持金具１０１，１０２，１０３が取付けられている。支持金具１０１，１０２にて前面枠セット１４の上下部が回動可能に支持されており、これにより前面枠セット１４が開閉可能に支持されている。また、支持金具１０２，１０３にて下皿ユニット１３の上下部が回動可能に支持されており、これにより下皿ユニット１３が開閉可能に支持されている。
【００４１】
次に、前面枠セット１４について図１を参照しつつ説明する。前面枠セット１４には遊技領域（レールユニット５０の内周部により略円形状に区画形成された領域）のほとんどを外部から視認することができるよう略楕円形状の窓部１０１が形成されている。
【００４２】
また、前面枠セット１４にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。
【００４３】
また、窓部１０１の下方には貸球操作部１２０が配設されており、貸球操作部１２０には球貸しボタン１２１と、返却ボタン１２２と、度数表示部１２３とが設けられている。遊技場等において、パチンコ機１０の側方に配置されるカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図られる。
【００４４】
続いて、前面枠セット１４の背面構成について、図２を参照しつつ説明する。前面枠セット１４の裏側の上部コーナー部には、前記発光手段用の発光基板１２４が取付けられている。また、前面枠セット１４の裏側には、窓部１０１を囲むようにして金属製の各種補強部材が設けられている。詳しくは、前面枠セット１４の裏側にあって窓部１０１の左右上下の外側には補強板１３１，１３２，１３３，１３４が相互に接触するようにして取付けられている。加えて、発光基板１２４を覆うようにして、樹脂パーツ１３５が設けられている。これにより、発光基板１２４と補強板１３１との接触（発光基板１２４への通電）を防止することができ、発光基板１２４におけるノイズや磁界の発生等の抑制が図られている。なお、補強板１３１〜１３４は、図示しない接地機構により接地されている。
【００４５】
また、図２の右側の補強板１３１にはその中間位置にフック状をなす係合爪１３１ａが設けられており、この係合爪１３１ａは、前面枠セット１４を閉じた状態で内枠１２の孔部１２ａに係合される。この構成により、前面枠セット１４を浮かしての不正行為等が抑制されるようになっている。また、図２の左側の補強板１３２には、前面枠セット１４の背面側に延びる上下一対の前面枠セット鉤部１４ａ，１４ｂが一体形成されている。
【００４６】
併せて、下側の補強板１３４には、発射レール７３に対向する位置にレール側壁部材１３６が設けられている。このレール側壁部材１３６は、前面枠セット１４を閉じた際に発射レール７３の側壁となる。故に、発射レール７３から遊技球がこぼれ落ちないようになっている。
【００４７】
さらに、前面枠セット１４の背面側には、図６に示すガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００４８】
図６に示すように、ガラスユニット１３７は、窓部１０１の形状にほぼ対応して略円形状をなす前後一対の板ガラス１５１，１５２と、板ガラス１５１，１５２の周縁を囲むようにして設けられた保持フレーム１５３とを備えている。板ガラス１５１，１５２は、保持フレーム１５３によって、板ガラス１５１，１５２間に所定の間隙が形成された状態で保持されている。保持フレーム１５３は、複数箇所において外方に突出する取付部１５５を備えている。該取付部１５５が、前面枠セット１４の背面側に設けられた被取付部（図示略）に取着されることで、ガラスユニット１３７が前面枠セット１４に取付けられている。また、保持フレーム１５３はその一部において外方に膨出しており、該膨出部分の内側に収容部１５６が形成されている。収容部１５６には、乾燥剤１５７（ゼオライドやシリカゲル等）が収容されており、ガラスユニット１３７内における結露等の発生が防止されるようになっている。なお、収容部１５６は、窓部１０１の輪郭線よりも外周側に配設されており、これにより、乾燥材１５７が外部から視認されることがないようになっている。
【００４９】
次に、内枠１２の施錠機構、並びに、前面枠セット１４及び下皿ユニット１３の施錠機構について図９乃至図１６を参照して説明する。本実施形態では、前面枠セット１４の施錠機構及び下皿ユニットの施錠機構は、内枠１２の施錠機構と一体的となっている。つまり、本実施形態における各施錠機構は、単一の施錠装置Ｇ１によって具現化されている。図９は、外枠１１に対して内枠１２を開放した状態を示す背面側の斜視図である。図１０は施錠装置Ｇ１の正面図、図１１はその右側面図、図１２はその左側面図、図１３はその背面図である。さらに、図１４は施錠装置Ｇ１の正面右側の斜視図、図１５は施錠装置Ｇ１の背面左側の斜視図、図１６は施錠装置Ｇ１の背面右側の斜視図である。尚、図１０〜図１３では、説明の便宜上、後述する施錠カバー４０１の図示を省略している。また、図９では、前面枠セット１４、下皿ユニット１３、及び、内枠１２の背面側に設けられる遊技盤３０や各種制御基板等の図示を省略している。
【００５０】
図９等に示すように、施錠手段としての施錠装置Ｇ１は、内枠１２の背面右側部（図９では左側）に沿って縦方向に取付固定される長尺状の取付板１８７と、取付板１８７の内側（窓孔２１側）の端縁から後方に延びる支持板１８８とを具備する断面略Ｌ字状の基枠１８６を備えている。
【００５１】
図１０、図１４等に示すように、取付板１８７には複数の取付孔１８７ａが穿設され、さらにその上部と下部に、矩形状の挿入孔１８９，１９０が形成されている。また、内枠１２には、施錠装置Ｇ１の取付状態において挿入孔１８９、１９０と相対する位置に、連通孔９０、９１が形成されている（図４参照）。そして、前面枠セット１４の閉時においては、前面枠セット１４の背面側に延びる前面枠セット鉤部１４ａ，１４ｂ（図２参照）が、連通孔９０、９１を介して、挿入孔１８９，１９０に進入するようになっている。
【００５２】
また、図１１、図１６等に示すように、施錠装置Ｇ１は、支持板１８８の内面（図９、図１６では左側の面）に沿って上下に摺動可能に設けられた摺動部材としての摺動杆１９１と、摺動杆１９１の内面（図９、図１６では左側の面）に沿って上下に摺動可能な上下一対の内枠係合部としての鉤部材１９２，１９３とを備えている。
【００５３】
鉤部材１９２，１９３は、その取付状態において摺動杆１９１の内面と略当接状態となる薄板状の鉤部材本体６０１，６０２と、鉤部材本体６０１，６０２から後方に延びる延出部６０３，６０４と、延出部６０３，６０４の先端から下方に突出する爪部６０５，６０６とを備えている。また、鉤部材１９２，１９３は、鉤部材本体６０１，６０２から内枠１２の内側（窓部２１内周側）に向けて突出し、その先端部に拡径部を有する摺動突起６０７，６０８を備えている（図１２参照）。一方、摺動杆１９１及び支持板１８８には、摺動突起６０７，６０８と相対する位置に、長円状の挿通孔６０９，６１０及び摺動孔６１１，６１２が形成されている（図１２、図１５参照）。挿通孔６０９，６１０及び摺動孔６１１，６１２は、その上下幅が摺動突起６０７，６０８の径よりも大きく構成され、その左右幅が摺動突起６０７，６０８の拡径部の径よりも小さく構成されている。そして、摺動突起６０７，６０８が対応する挿通孔６０９，６１０及び摺動孔６１１，６１２に挿通され、摺動突起６０７，６０８の拡径部が支持板１８８の窓部２１側に位置していることで、支持板１８８（基枠１８６）及び摺動杆１９１に対して、鉤部材１９２，１９３が上下に相対移動（摺動）可能に設けられている。
【００５４】
また、各鉤部材１９２，１９３は、一端が鉤部材１９２，１９３（鉤部材本体６０１，６０２）に固定されるとともに、他端が取付板１８７（取付面）に固定されたコイルばねＣ１により、常には下方位置側に引っ張られている。本実施形態では、鉤部材１９２，１９３の摺動範囲のうち、下方位置（摺動突起６０７，６０８と摺動孔６１１，６１２の下縁部とが略当接する位置）が鉤部材１９２，１９３の施錠位置に相当し、上方位置（摺動突起６０７，６０８と摺動孔６１１，６１２の上縁部とが略当接する位置）が鉤部材１９２，１９３の解錠位置に相当する。
【００５５】
さらに、摺動杆１９１についても、挿通孔６０９，６１０の下縁部において、施錠位置側に引っ張られている鉤部材１９２，１９３の摺動突起６０７，６０８と接触することによって、常には下方に引っ張られている。これにより、常には、鉤部材１９２，１９３に設けられた摺動突起６０７，６０８と、摺動杆１９１に形成された摺動孔６１１，６１２の下縁部とが略当接状態とされている。
【００５６】
尚、支持板１８８は、施錠位置にある鉤部材１９２，１９３と対応する部位において、その後縁部から基枠１８６内側（図１６では左方）に突出する基部、及び基部の先端から上方に延びる接触部からなる略Ｌ字状の摺動案内部６１３，６１４を備えている（図１３、図１６参照）。そして、該摺動案内部６１３，６１４の内側に形成されたスリット６１５，６１６に鉤部材１９２，１９３を挿通することで、鉤部材１９２，１９３の摺動に際してのがたつきの抑制が図られている。
【００５７】
内枠１２の閉状態においては、外枠１１の内側に固定された被内枠係合部としての爪馬８３，８４の後面に対して爪部６０５，６０６が係止される（図３、図９参照）。これにより、閉状態にある内枠１２の開放が規制される。尚、爪馬８３，８４に形成された折り返し部８３ａ，８４ａの存在により、鉤部材１９２，１９３の係止状態の安定化を図ることができる。
【００５８】
ここで、内枠１２を閉じるときの鉤部材１９２，１９３の動きを簡単に説明する。内枠１２を閉じていくと、まず、爪部６０５，６０６の下縁部（傾斜部位）が爪馬８３，８４の上辺部と接触する。さらに内枠１２を閉じていくことで、鉤部材１９２，１９３が、爪部６０５，６０６の下縁部（傾斜部位）において摺接する爪馬８３，８４に押され、コイルばねＣ１の引張力に抗して一旦上方の解錠位置に向けて摺動する。その後、爪馬８３，８４が爪部６０５，６０６よりも前方に位置すると、鉤部材１９２，１９３がコイルばねＣ１の引張力で下方の施錠位置に戻り、爪馬８３，８４と係合する。
【００５９】
また、上記のような構成により、摺動杆１９１が上方に移動すると、鉤部材１９２，１９３が摺動突起６０７，６０８において摺動杆１９１の挿通孔６０９，６１０の下縁部と接触して上方に押されることとなる。つまり、鉤部材１９２，１９３は、摺動杆１９１の上方への摺動に連動して、両方同時に上方に向けて摺動するようになっている。
【００６０】
一方、上記のように、通常、鉤部材１９２，１９３に設けられた摺動突起６０７，６０８が摺動杆１９１に形成された挿通孔６０９，６１０の下部に相対位置しており、挿通孔６０９，６１０には摺動突起６０７，６０８よりも上方において該摺動突起６０７，６０８の移動スペースが確保されている。つまり、鉤部材１９２、１９３に対して直接応力が加えられることにより該鉤部材１９２、１９３が上方に移動したとしても（挿通孔６０９，６１０に対して摺動突起６０７，６０８が上方に相対移動したとしても）、摺動杆１９１は、連動して摺動しないよう構成されている。換言すれば、鉤部材１９２，１９３は、それぞれ独立して移動可能となっており、例えば、鉤部材１９２、１９３のどちらか一方を上方に移動させたとしても、他方は移動せずに施錠位置のままである。
【００６１】
また、図１３、図１６等に示すように、施錠装置Ｇ１は、取付板１８７の内面（後面）に沿って摺動可能な上下一対の扉係合部としての前面枠セット施錠部材１９４，１９５を備えている。前面枠セット施錠部材１９４，１９５は、金属板を断面コ字状に折曲げることにより形成されており、そのうち取付板１８７側の取付側壁部６２１，６２２には矩形状の係止孔１９４ａ，１９５ａが形成されている。図１４に示すように、係止孔１９４ａ，１９５ａは、取付板１８７に形成された挿入孔１８９，１９０と相対して配置されている。
【００６２】
また、取付側壁部６２１，６２２には、係止孔１９４ａ，１９５ａよりも下方位置において、長円状の位置決め孔６２３，６２４が形成されている。該位置決め孔６２３，６２４には、取付板１８７から後方に突出し、先端部において対応する位置決め孔６２３，６２４の横幅よりも大きな拡径部を有する摺動突起６２５，６２６が挿通されており、該摺動突起６２５，６２６の拡径部が取付側壁部６２１，６２２の後面側に位置している。
【００６３】
さらに、図１１に示すように、前面枠セット施錠部材１９４，１９５のうち支持板１８８側の支持側壁部６２７，６２８には、長円状の摺動孔６２９，６３０が形成されている。該摺動孔６２９，６３０には、摺動杆１９１から基枠１８６の内側に向けて突出し、先端部において対応する摺動孔６２９，６３０の横幅よりも大きな拡径部を有する摺動突起６３１，６３２が挿通されており、該摺動突起６３１，６３２の拡径部が支持側壁部６２７，６２８のうち基枠１８６の内側に位置している。また、位置決め孔６２３，６２４及び摺動孔６２９，６３０の上下幅は、対応する摺動突部６２５，６２６、摺動突起６３１，６３２の径よりも大きくなっている。さらに、位置決め孔６２３，６２４の下縁部と、対応する摺動突起６２５，６２６とが略当接状態となる場合には、摺動孔６２９，６３０の下縁部と、対応する摺動突起６３１，６３２とが略当接状態となり、位置決め孔６２３，６２４の上縁部と、対応する摺動突起６２５，６２６とが略当接状態となる場合には、摺動孔６２９，６３０の上縁部と、対応する摺動突起６３１，６３２とが略当接状態となるよう設定されている。これにより、基枠１８６に対して、前面枠セット施錠部材１９４，１９５が上下に相対移動（摺動）可能に設けられている。
【００６４】
また、各前面枠セット施錠部材１９４，１９５は、一端が支持側壁部６２７，６２８（前面枠セット施錠部材１９４，１９５）に固定されるとともに、他端が取付板１８７（取付面）に固定されたコイルばねＣ２により、常には上方位置側に引っ張られている。本実施形態では、前面枠セット施錠部材１９４，１９５の摺動範囲のうち、上方位置（位置決め孔６２３，６２４の下縁部と摺動突起６２５，６２６とが略当接する位置）が前面枠セット施錠部材１９４，１９５の施錠位置に相当し、下方位置（位置決め孔６２３，６２４の上縁部と摺動突起６２５，６２６とが略当接する位置）が前面枠セット施錠部材１９４，１９５の解錠位置に相当する。
【００６５】
さらに、摺動杆１９１についても、該摺動杆１９１から突出する摺動突起６３１，６３２において、施錠位置側に引っ張られている前面枠セット施錠部材１９４，１９５に形成された摺動孔６２９，６３０の下縁部と接触することによって、常には上方に引っ張られている。これにより、常には、摺動杆１９１に設けられた摺動突起６３１，６３２と、前面枠セット施錠部材１９４，１９５の支持側壁部６２７，６２８に形成された摺動孔６２９，６３０の下縁部側とが略当接とされている。尚、上記のように、摺動杆１９１は、コイルばねＣ１によって下方にも引っ張られており、これにより、通常、摺動杆１９１は、上方及び下方のどちらにも移動可能な中間位置において保持されている。
【００６６】
尚、上側の前面枠セット施錠部材１９４の取付側壁部６２１と摺動杆１９１との間には若干隙間が形成されており、該隙間に上側の鉤部材１９２の基端部が挿通されている。これにより、鉤部材１９２を取付側壁部６２１の側部で支持することができ、鉤部材１９２のがたつきがより確実に抑制される。また、下側の鉤部材１９３については、下側の前面枠セット施錠部材１９５と離間しており、上側の鉤部材１９２と同じように鉤部材１９３を取付側壁部６２２の側部で支持することができない。このため、取付板１８７のうち下側の鉤部材１９３と対応する位置に、鉤部材１９３のうち基枠１８６の内側の面と接触する規制突起６３３（図１６参照）を設けることで、鉤部材１９３のがたつきの抑制が図られている。
【００６７】
前面枠セット１４の閉状態においては、前面枠セット１４に設けられた被扉係合部としての前面枠セット鉤部１４ａ，１４ｂ（図２参照）が、内枠１２の連通孔９０、９１（図４参照）及び取付板１８７の挿入孔１８９，１９０（図１４参照）を介して、係止孔１９４ａ，１９５ａに挿通され、前面枠セット施錠部材１９４，１９５（係止孔１９４ａ，１９５ａの下縁部）に係合される。より詳しくは、前面枠セット鉤部１４ａ，１４ｂは、補強板１３２から後方に延びる鉤本体６４１，６４２（図２参照）と、鉤本体６４１，６４２の先端から下方に突出する爪部６４３，６４４とを備え、爪部６４３，６４４が前面枠セット施錠部材１９４，１９５の係止孔１９４ａ，１９５ａに挿通され、前面枠セット施錠部材１９４，１９５の後面に係止されることで、前面枠セット施錠部材１９４，１９５と前面枠セット鉤部１４ａ，１４ｂとが係合する。これにより、閉状態にある前面枠セット１４の開放が規制される。
【００６８】
ここで、前面枠セット１４を閉じるときの前面枠セット施錠部材１９４，１９５の動きを簡単に説明する。前面枠セット１４を閉じていくと、まず、爪部６４３，６４４の下縁部が係止孔１９４ａ，１９５ａの下縁部と接触する。さらに前面枠セット１４を閉じていくことで、前面枠セット施錠部材１９４，１９５が、係止孔１９４ａ，１９５ａの下縁部において摺接する爪部６４３，６４４に押され、コイルばねＣ２の引張力に抗して一旦下方の解錠位置に向けて摺動する。その後、前面枠セット施錠部材１９４，１９５が爪部６４３，６４４よりも前方に位置すると、前面枠セット施錠部材１９４，１９５がコイルばねＣ２の引張力で上方の施錠位置に戻り、前面枠セット鉤部１４ａ，１４ｂと係合する。
【００６９】
また、上記のような構成により、摺動杆１９１が下方に移動すると、前面枠セット施錠部材１９４，１９５が支持側壁部６２７，６２８に形成された摺動孔６２９，６３０の下縁部において、摺動杆１９１に設けられた摺動突起６３１，６３２と接触して下方に押されることとなる。つまり、前面枠セット施錠部材１９４，１９５は、摺動杆１９１の下方への摺動に連動して、両方同時に下方に向けて摺動するようになっている。
【００７０】
一方、上記のように、通常、摺動杆１９１に設けられた摺動突起６３１，６３２が、支持側壁部６２７，６２８に形成された摺動孔６２９，６３０の下部に相対位置しており、摺動孔６２９，６３０には摺動突起６３１，６３２よりも上方において該摺動突起６３１，６３２が相対移動するスペースが確保されている。つまり、前面枠セット施錠部材１９４，１９５に対して直接応力が加えられることにより前面枠セット施錠部材１９４，１９５が摺動したとしても（摺動突起６３１，６３２に対して摺動孔６２９，６３０が下方に相対移動したとしても）摺動杆１９１は、連動して摺動しないよう構成されている。換言すれば、前面枠セット施錠部材１９４，１９５は、それぞれ独立して下方に移動可能となっており、例えば、前面枠セット施錠部材１９４，１９５のどちらか一方を下方に移動させたとしても、他方は移動せずに施錠位置のままである。
【００７１】
また、図１１、図１３、図１６等に示すように、施錠装置Ｇ１は、内枠１２及び前面枠セット１４の施錠状態を解除するためのシリンダ錠１９６を備えている。シリンダ錠１９６は、取付板１８７の後面（取付面）に当接状態で固定される固定部１６１と、固定部１６１から前方に向けて取付板１８７を貫通して延び、鍵穴を有する錠本体１６２と、図示しない錠軸に取付けられ、鍵穴に挿入された鍵の回転動作を摺動杆１９１に伝達する伝達部材としてのカム板１６３とを備えている。
【００７２】
カム板１６３は、上下一対の係止爪１６５ａ、１６５ｂを備えている。一方、摺動杆１９１のうちカム板１６３と対向する部位には、上下一対の係止孔１７１ａ、１７１ｂが形成されている。
【００７３】
そして、鍵穴に挿入した鍵を図１０の時計方向に回転させた場合、カム板１６３が同方向に回動することにより、下側の係止爪１６５ｂが下側の係止孔１７１ｂの上縁部に接触し、該係止爪１６５ｂに持ち上げられるようにして摺動杆１９１が上方に摺動させられる。これにより、鉤部材１９２、１９３が連動して同時に上方に摺動させられる。このとき、鉤部材１９２，１９３と爪馬８３，８４との係合が解除され、内枠１２が解錠される。
【００７４】
一方、鍵穴に挿入した鍵を図１０の反時計方向に回転させた場合、カム板１６３が同方向に回動することにより、上側の係止爪１６５ａが上側の係止孔１７１ａの下縁部に接触し、該係止爪１６５ａに押し下げられるようにして摺動杆１９１が下方に摺動させられる。これにより、前面枠セット施錠部材１９４，１９５が連動して同時に下方に摺動させられる。このとき、前面枠セット施錠部材１９４，１９５と前面枠セット鉤部１４ａ，１４ｂとの係合が解除され、前面枠セット１４が解錠される。
【００７５】
尚、上記した摺動杆１９１は、その略中間位置において、シリンダ錠１９６側（図１６の左側）に突出する摺動操作部１９９を備えている。当該摺動操作部１９９の存在により、内枠１２を開放した状態において、シリンダ錠１９６の回動操作を行わなくても、摺動操作部１９９を押下げることで動杆１９１を下方に摺動させ、前面枠セット１４を開放させることができるようになっている。このため、パチンコ機１０を製造したりメンテナンスしたりするとき等の作業性の向上が図られる。
【００７６】
また、上記のように、外枠１１には、摺動操作部１９９に対応する位置に収容凹部８９ａが形成されており（図３、図９参照）、内枠１２の閉状態においては、摺動操作部１９９が収容凹部８９ａの内側に収容されることとなる。このとき、摺動操作部１９９の下面が、収容凹部８９ａの下縁部と略当接状態とされるように構成されている。尚、収容凹部８９ａの下縁部は、前側下方に向けて緩やか湾曲する湾曲面となっている（Ｒ加工が施されている）。このため、例えば、自重により内枠１２が若干下方に位置ずれした場合であっても、摺動操作部１９９と内枠１２の下縁部とを摺接させるようにして、摺動操作部１９９を収容凹部８９ａ内に確実に位置させることができる。従って、収容凹部８９ａによって、内枠１２の閉方向への移動が規制され、内枠１２を閉状態とすることができなくなってしまうといったおそれを回避することができる。
【００７７】
加えて、図１１、図１６に示すように、摺動杆１９１の内面には、下側の係止孔１７１ｂの下縁部からシリンダ錠１９６側に突出する規制突起１７２が形成されている。当該規制突起１７２は、例えば、シリンダ錠１９６の回動操作（鍵穴に挿入された鍵を時計回りに回転させる）を行わずに、摺動操作部１９９を押上げるようにして摺動杆１９１を上方に摺動させようとした場合に係止爪１６５ｂと接触するよう構成されており、これにより、摺動杆１９１の上方への摺動が規制されるようになっている。つまり、内枠１２は、シリンダ錠１９６の回動操作が伴わないと開放できないようになっている。尚、規制突起１７２を省略することとしてもよい。尚、上側の係止孔１７１ａの上縁部からシリンダ錠１９６側に突出する規制突起を設けることも考えられるが、この場合には、シリンダ錠１９６の回動操作なくして前面枠セット１４を開放することができなくなる。つまり、上記のように摺動操作部１９９を操作して前面枠セット１４を開放させることができなくなり、作業性の低下を招くおそれがある。このような理由から、本例では、上側の係止孔１７１ａの上縁部には規制突起を設けていない。
【００７８】
また、図１３、図１６等に示すように、シリンダ錠１９６は、固定部１６１から後方に突出し、鍵穴形状（キーコード）を変更する際に押圧操作されるリセットピン１６６を具備している。キーコードの変更手順について説明すると、まず、リセットピン１６６を押圧した状態で鍵穴に現状の鍵を挿入して回動操作した後、該鍵を引き抜く。そして、リセットピン１６６を押圧したまま、新たに設定したい鍵を鍵穴に挿入し、前記現状の鍵とは逆向きに回動操作した後、リセットピン１６６の押圧状態を解除してから鍵を引き抜く。以上のような操作を行うことで、新たに設定したい鍵に合ったキーコードとすることができるようになっている。これにより、遊技場単位で鍵を統一できるとともに、不正防止のため、定期的に鍵を変更することができるようになっている。
【００７９】
さらに、図１２、図１５等に示すように、施錠装置Ｇ１は、支持板１８８の外面（窓孔２１側の面）に沿って摺動可能な下皿ユニット施錠部材１９７を備えている。下皿ユニット施錠部材１９７は、その取付状態において支持板１８８の窓孔２１側の面と当接状態となる本体部６７１と、本体部６７１から前方に延び、その先端部において上方に突出する爪部６７２，６７３を有する上下一対の下皿ユニット鉤部１９７ａ，１９７ｂと、本体部６７１の最上部に設けられた下皿ユニット操作部１９８とを備えている。
【００８０】
また、下皿ユニット施錠部材１９７には、本体部６７１において長円状の摺動孔６７４，６７５が形成されている。該摺動孔６７４，６７５には、支持板１８８から内枠１２の内側（窓部２１の内周側）に向けて突出し、先端部において対応する摺動孔６７４，６７５の横幅よりも大きな拡径部を有する摺動突起６７６，６７７が挿通されており、該摺動突起６７６，６７７の拡径部が下皿ユニット施錠部材１９７の窓枠２１側に位置している。また、摺動孔６７４，６７５の上下幅は、対応する摺動突部６７６，６７７の径よりも大きくなっている。これにより、支持板１８８（基枠１８６）に対して、下皿ユニット施錠部材１９７が上下に相対移動（摺動）可能に設けられている。
【００８１】
また、各前面枠セット施錠部材１９４，１９５は、一端が下皿ユニット施錠部材１９７に固定されるとともに、他端が支持板１８８に固定されたコイルばねＣ３により、常には上方に引っ張られている。これにより、下皿ユニット１３の閉状態にあっては、下皿ユニット１３の背面側に設けられた係止孔１３ａ，１３ｂ（図２参照）に下皿ユニット鉤部１９７ａ，１９７ｂの先端部が挿通されるとともに、爪部６７２，６７３が係止孔１３ａ，１３ｂ周縁部の前面側に係止され、下皿ユニット１３の開放が規制される。下皿ユニット操作部１９８は、前面枠セット１４を開状態とした場合にのみ露出し、この場合に限り操作可能となっている。そして、該下皿ユニット操作部１９８をコイルばねＣ３の引張力に抗して押下げることにより、下皿ユニット鉤部１９７ａ，１９７ｂと係止孔１３ａ，１３ｂとの係止状態が解除され、下皿ユニット１３が解錠されることとなる。換言すれば、下皿ユニット１３は、前面枠セット１４が開かれた場合に限り、下皿ユニット操作部１９８を操作することによってその開放が許容されるようになっている。
【００８２】
さて、図１７に示すように、本実施形態では、摺動杆１９１は、シリンダ錠１９６の配設位置に対応する部位において、窓孔２１側に膨出する膨出部１７５を備えている。また、支持板１８８は、摺動杆１９１の膨出部１７５に対応する部位（その摺動範囲も含む）において、窓孔２１側に膨出する支持板膨出部１７６を備えている。つまり、本実施形態では、遊技領域や各種制御基板等の設置スペースをより広く確保するために、施錠装置Ｇ１の横幅を極力小さくしているのであるが、施錠装置Ｇ１うちシリンダ錠１９６の配設位置に対応する部位についてはシリンダ錠１９６の設置スペースを確保する必要があるため、上記のように膨出部１７５及び支持板膨出部１７６を形成しているのである。尚、本実施形態では、支持板１８８の窓孔２１側の面に沿って摺動可能な下皿ユニット施錠部材１９７が設けられているが、上記のように支持板１８８を折曲げ形成し、支持板膨出部１７６の下方に該下皿ユニット施錠部材１９７を配置することで、施錠装置Ｇ１の横幅が大きくなってしまうといったおそれを回避している。
【００８３】
本実施形態における膨出部１７５は、摺動杆１９１のうちシリンダ錠１９６の配設位置に対応する部位が略コ字状に折曲げられることで形成されており、シリンダ錠１９６よりも上方において窓孔２１側に向けて若干下方に傾斜しつつ延びる上段差部１７７と、シリンダ錠１９６よりも下方において窓孔２１側に向けて若干上方に傾斜しつつ延びる下段差部１７８と、上段差部１７７と下段差部１７８との先端部（窓孔２１側の端部）同士を連結する連結部１７９とを備えている。尚、摺動杆１９１が摺動して最上部位置となったときには膨出部１７５の上段差部１７７が支持板膨出部１７６と略当接し、摺動杆１９１が最下部位置となったときには膨出部１７５の下段差部１７８が支持板膨出部１７６と略当接するよう構成されている。また、上記した係止孔１７１ａ、１７１ｂは連結部１７９に形成されている。
【００８４】
さて、本実施形態では、施錠装置Ｇ１には、シリンダ錠１９６の背面側を覆うようにして施錠カバー４０１が取付固定されている。以下、施錠カバー４０１について、図１７〜図２０を参照しつつ説明する。図１７は取付状態にある施錠カバー４０１の構成を示す正面図であり、図１８は取付状態にある施錠カバー４０１の構成を示す部分斜視図である。尚、施錠カバー４０１は、施錠装置Ｇ１に対して図１７に示す面がパチンコ機１０の後側に露出するようにして取付けられるのではあるが、以下、説明の便宜上、図１７に示す面を前面（正面）として説明する。図１９は施錠カバー４０１の構成を示す正面側の斜視図であり、図２０は施錠カバー４０１の構成を示す背面側の斜視図である。
【００８５】
図１７、図１８等に示すように、施錠カバー４０１は、取付板１８７の後面に取付固定される取付基部４０２と、取付基部４０２の取付状態において摺動杆１９１の膨出部１７５（段差部１７７、１７８）を覆う保護部４０３とを備えている。本実施形態では、施錠カバー４０１は、硬質で透明な樹脂材料（例えばポリカーボネート）により構成されている。
【００８６】
取付基部４０２は、その取付状態においてシリンダ錠１９６の固定部１６１及びカム板１６３を収容する収容部４０４を備えている。図１９等に示すように、収容部４０４は、固定部１６１と対向配置される板状の基部４１１と、基部４１１の上縁部、下縁部、及び左縁部から施錠カバー４０１の後方（施錠カバー４０１の施錠機構Ｇ１への取付状態においてはパチンコ機１０の前方）に向けて延びる上壁部４１２、下壁部４１３、及び左壁部４１４とを備えている。また、図２０等に示すように、収容部４０４は、上壁部４１２、下壁部４１３、及び左壁部４１４からそれぞれ内側に突出する突起部４１７を備えている。施錠カバー４０１の取付状態においては、各突起部４１７と固定部１６１の周縁部とが略当接状態とされる。加えて、基部４１１には、施錠カバー４０１の取付状態においてシリンダ錠１９６のリセットピン１６６と対応する位置に操作孔４１８が形成されている（図１７参照）。
【００８７】
また、取付基部４０２は、収容部４０４の上壁部４１２の先端縁（施錠カバー４０１の施錠機構Ｇ１への取付状態においてはパチンコ機１０の前面側の端縁）から上方に向けて突出形成された上取付部４０２ａと、下壁部４１３の先端縁から下方に向けて突出形成された下取付部４０２ｂとを備えている。各取付部４０２ａ，４０２ｂには、前後に貫通するねじ孔４２１が形成されている。そして、収容部４０４の内部にシリンダ錠１９６の固定部１６１及びカム板１６３を収容するようにして、取付板１８７に形成された取付孔１８７ａのうち、施錠カバー４０１を取着するためのねじを挿通させるカバー用取付孔１８７ｂとねじ孔４２１とを位置合わせし、ねじ固定することで、施錠カバー４０１が施錠装置Ｇ１に対して着脱可能に取着されている。
【００８８】
保護部４０３は、取付基部４０２の右端縁から前方（施錠カバー４０１の施錠機構Ｇ１への取付状態においてはパチンコ機１０の後方）に延びる縦壁部４３１と、縦壁部４３１の先端縁から右側（施錠カバー４０１の施錠機構Ｇ１への取付状態においてはパチンコ機１０の左方）に向けて延びる前壁部４３２と、前壁部４３２の先端縁から後方（施錠カバー４０１の施錠機構Ｇ１への取付状態においてはパチンコ機１０の前方）に向けて延びる係止片４３３とを備え、断面略コ字状をなしている。施錠カバー４０１の取付状態においては、縦壁部４３１が膨出部１７５のシリンダ錠１９６側の面を覆い、前壁部４３２が膨出部１７５の後辺部を覆い、係止片４３３の内面が支持板１８８（支持板膨出部１７６）の窓孔２１側の面と略当接状態とされる（図１７、図１８参照）。
【００８９】
尚、図２０に示すように、施錠カバー４０１には、前壁部４３２の上縁部及び下縁部から保護部４０３の内側（施錠カバー４０１の施錠機構Ｇ１への取付状態においてはパチンコ機１０の前方）に突出する突条部４３５が形成されている。施錠カバー４０１の取付状態においては、突条部４３５と摺動杆１９１とが略当接状態とされ、摺動杆１９１と施錠カバー４０１との間に形成される隙間を極力小さくしている。また、突条部４３５と摺動杆１９１とが略当接状態とされるため、例えば、摺動杆１９１が直接前壁部４３２の背面に摺接する場合に比べ、施錠カバー４０１と摺動杆１９１との接触面積を小さくすることができ、摺動性の悪化を抑制することができる。尚、縦壁部４３１の上縁部及び下縁部から保護部４０３の内側に向けて突出する突条部を設けてもよい。
【００９０】
また、施錠カバー４０１には、前壁部４３２の左下部（施錠カバー４０１の施錠機構Ｇ１への取付状態においてはパチンコ機１０の正面から見て前壁部４３２の右下部）において鉤部材１９３の挿通を許容するための摺動スリット４３６が形成されている。該摺動スリット４３６を形成することで、取付状態にある施錠カバー４０１によって鉤部材１９３、ひいては、摺動杆１９１及び鉤部材１９２の上方への摺動が阻害されてしまうといったおそれを回避している。
【００９１】
さて、本実施形態では、図２２〜図２４に示すように、施錠カバー４０１がねじ７０１によって基枠１８６の取付板１８７に着脱可能に取着される。図２５に示すように、施錠カバー４０１の施錠装置Ｇ１への取着に使用されるねじ７０１は、外周にねじ山が形成された略円柱状のねじ本体７０２と、ねじ本体７０２の一端部に設けられた拡径部としての頭部７０３とを備えている。また、頭部７０３には十字穴７０５が形成されており、該十字穴７０５に対して図示しない工具としてのドライバーの先端部を係合して回転させることで、ねじ７０１をねじ込んだり取外したりすることができる。図２４に示すように、本実施形態では、施錠カバー４０１の取付状態において、頭部７０３は取付板１８７を挟んで施錠カバー４０１の反対側（取付板１８７の前面側）に位置している。このため、施錠装置Ｇ１の取付状態においては、頭部７０３が取付板１８７と内枠１２（樹脂ベース２０）とで挟まれた位置に配置されることとなる。尚、本実施形態では、十字穴７０５が解除操作手段、工具係合部を構成する。また、取付基部４０２（上取付部４０２ａ，下取付部４０２ｂ）に形成されるねじ孔４２１には予めねじ山が形成されている。
【００９２】
加えて、頭部７０３を除くねじ７０１の長さ（ねじ本体７０２の長さ）は、取付板１８７の厚みと上取付部４０２ａ（下取付部４０２ｂ）の厚みとを足した長さとほぼ同じとなっている。このため、ねじ７０１のうち頭部７０３が設けられていない方の先端部は、施錠カバー４０１の取付状態において、上取付部４０２ａ，下取付部４０２ｂから突出しないようになっている。尚、頭部７０３を除くねじ７０１の長さ（ねじ本体７０２の長さ）は、取付板１８７の厚みよりよりも長く、取付板１８７の厚みと上取付部４０２ａ（下取付部４０２ｂ）の厚みとを足した長さよりも短くなっていることとしてもよい。
【００９３】
ここで、内枠１２のうち施錠装置Ｇ１が配設される部位について、図２２等を参照しつつ説明する。内枠１２の後面右側部（図２２では左側の側部）には、後方に延出するリブ７１１が設けられている。リブ７１１は、上下方向に延在する縦辺部７１２と、当該縦辺部７１２と窓孔２１の右側部（図２２では窓孔２１の左側の側部）に対応して上下に延在する窓壁部７１５との間を所定間隔毎に連結する複数の横辺部７１３とを備えている。さらに、リブ７１１には複数のボス７１７が一体形成されている。尚、縦辺部７１２、横辺部７１３、及びボス７１７の突出長は同じとなっている。
【００９４】
そして、取付板１８７をリブ７１１の先端部（縦辺部７１２及び横辺部７１３の後端部）に当接させ（図２４参照）、取付孔１８７ａとボス７１７（ボス穴）とを位置合わせし、施錠カバー４０１と取付板１８７（施錠装置Ｇ１）との取着に使用されるねじ７０１と同じねじ７０１を取付孔１８７ａ及びボス７１７にねじ込むことで、施錠装置Ｇ１が内枠１２に取着される。また、図２４に示すように、取付状態にある施錠装置Ｇ１は、その右辺部（取付板１８７のうち窓孔２１の外周側の縁部：図２４では左側の縁部）が、リブ７１１の縦辺部７１２よりも窓孔２１の外周側に位置する。尚、取付状態にある施錠装置Ｇ１は、その上部が支持板１８８において窓壁部７１５と略当接状態となるが、窓壁部７１５の下端部は支持板１８８の支持板膨出部１７６の上端部よりも上方に位置しており、支持板膨出部１７６の窓孔２１側には、保護部４０３の係止片４３３の設置スペースが確保されている。
【００９５】
また、図２４に示すように、本実施形態では、取付板１８７に形成される取付孔１８７ａのうち、少なくとも施錠カバー４０１を取着するためのねじ７０１を挿通させるカバー用取付孔１８７ｂは、施錠装置Ｇ１の取付状態において、縦辺部７１２よりも窓孔２１の内周側に位置する。このため、カバー用取付孔１８７ｂに螺着したねじ７０１のうち取付板１８７の前面側（図２４では下側）に位置する頭部７０３は、縦辺部７１２、及び横辺部７１３によって囲まれた位置に配置されることとなる。また、本実施形態では、取付孔１８７ａのうち少なくともカバー用取付孔１８７ｂには予めねじ山（雌ねじ）が形成されている。但し、取付孔１８７ａ（カバー用取付孔１８７ｂを含む）はねじ山の形成されていない単なる挿通孔であってもよい。
【００９６】
尚、ねじ７０１の頭部は、取付板１８７の前面に没入していることとしてもよい。この場合、施錠装置Ｇ１の内枠１２への取付状態において、取付板１８７と当接する部位が平坦面である場合であっても、ねじ７０１の頭部７０３が突出していることに起因して取付板１８７が浮き上がってしまうといったおそれを回避することができ、取付状態の安定化を図ることができる。ちなみに、本実施形態では、内枠１２（樹脂ベース２０）から後方に延出するリブ７１１に当接状態で施錠装置Ｇ１が取着され、取付板１８７の前面と内枠１２（樹脂ベース２０）との間には間隙が形成されることから、ねじ７０１の頭部７０３が取付板１８７の前面から突出していても差支えない。
【００９７】
次に、施錠装置Ｇ１の内枠１２への取付工程について説明する。まず、収容部４０４の内部にシリンダ錠１９６の固定部１６１及びカム板１６３を収容するようにして、かつ、膨出部１７５を保護部４０３で覆うようにして施錠カバー４０１を取付板１８７の後面（取付面）に当接させる。さらに、カバー用取付孔１８７ｂとねじ孔４２１とを位置合わせする。そして、ねじ７０１を取付板１８７の前面側からカバー用取付孔１８７ｂ及びねじ孔４２１にねじ込むことで施錠カバー４０１を施錠装置Ｇ１に取着する。
【００９８】
続いて、施錠カバー４０１が取着された施錠装置Ｇ１の取付板１８７と内枠１２のリブ７１１とを当接させる。さらに、取付孔１８７ａとボス７１７（ボス穴）とを位置合わせする。そして、ねじ７０１を取付板１８７の後面側から取付孔１８７ａ及びボス７１７にねじ込むことで、施錠装置Ｇ１を内枠１２に取着する。以上のようにして施錠装置Ｇ１の内枠１２への取付工程が完了する。
【００９９】
以上詳述したように、本実施形態では、施錠装置Ｇ１に対し、摺動杆１９１に形成された膨出部１７５を覆うようにして施錠カバー４０１が取付固定されている。このため、膨出部１７５における上段差部１７７及び下段差部１７８が接触困難又は接触不能とされる。従って、例えば、外枠１１と内枠１２との間から無理やりパチンコ機１０の内部に金属片等を侵入させ、当該金属片等を下段差部１７８の上面に当てて押圧し、摺動杆１９１を下方に摺動させて、前面枠セット１４を開放させるといった不正行為を防止することができる。また、パチンコ機１０の内部に侵入させた金属片等を、窓孔２１側（膨出部１７５と支持板膨出部１７６との間の隙間）から上段差部１７７の上面に当てて押圧し、摺動杆１９１を下方に摺動させて前面枠セット１４を開放させるといった不正行為を防止することができる。結果として、遊技盤３０面上の釘調節を不正に変更したり、可変入賞装置３２や第１契機対応口３３を強制的に開放させたりするといった不正行為を抑制することができる。
【０１００】
さらに、上段差部１７７の下面又は下段差部１７８の下面に金属片等を当てて押圧し、摺動杆１９１を上方に摺動させるといった行為を防止することができる。また、施錠カバー４０１は、膨出部１７５だけではなく、固定部１６１及びカム板１６３についても覆うよう構成されることで、膨出部１７５へと通じる隙間を極力少なくすることができる。
【０１０１】
また、外枠１１には、内枠１２の閉状態において、摺動操作部１９９を内側に収容する収容凹部８９ａが形成されている。そして、内枠１２の閉状態においては、摺動操作部１９９の下面が収容凹部８９ａの下縁部と略当接状態とされ、摺動杆１９１の下方への摺動が規制されることとなる。このため、パチンコ機１０の内部に侵入させた金属片等を摺動操作部１９９の上面に当てて摺動杆１９１を下方に摺動させ、前面枠セット１４を開放させるといった不正行為を防止することができる。
【０１０２】
さらに、施錠カバー４０１は、収容部４０４の内側に突出し、固定部１６１の周縁部と略当接状態とされる突起部４１７と、支持板１８８（支持板膨出部１７６）の窓孔２１側の面と略当接状態とされる係止片４３３とを具備している。このため、施錠カバー４０１の施錠装置Ｇ１への取付に際し、施錠カバー４０１の位置決めが行われるため、取付作業性の向上を図ることができる。また、取付状態の安定化を図ることができる。
【０１０３】
また、施錠カバー４０１（基部４１１）には、リセットピン１６６に対応する位置に操作孔４１８が形成されている。このため、施錠カバー４０１の取付状態においても、ドライバー等を操作孔４１８に挿通してリセットピン１６６の操作ができるようになっている。従って、リセットピン１６６を操作する際に、施錠カバー４０１を取外すといった手間を省略することができる。
【０１０４】
また、本実施形態では、施錠カバー４０１が施錠装置Ｇ１の取付板１８７に対してねじ固定されている。このため、例えば、施錠カバー４０１が支持板１８８に対してねじ固定される場合に比べて、施錠装置Ｇ１の横幅を小さく構成することができる。つまり、支持板１８８の窓孔２１側の面からねじを留める場合には、支持板１８８のシリンダ錠１９６側の面から突出するねじ先をよけるために摺動杆１９１と支持板１８８との間に隙間を形成する必要が生じる。一方、支持板１８８のシリンダ錠１９６側の面からねじを留める場合には、支持板１８８の窓孔２１側の面から突出するねじ先をよけるようにして、内枠１２の内側（窓部２１内周側）に取着される制御基板等と支持板１８８との間に隙間を形成する必要が生じる。これに対し、本実施形態においては、摺動杆１９１と支持板１８８とが摺接するとともに、支持板１８８の窓孔２１側の面ぎりぎりに制御基板等を配設することができる。
【０１０５】
さらに、施錠装置Ｇ１を内枠１２に取付けるために取付板１８７に形成された取付孔１８７ａに対し、施錠カバー４０１のねじ孔４２１を位置合わせしてねじ固定している。このため、施錠カバー４０１を施錠装置Ｇ１にねじ固定することによって、施錠装置Ｇ１についても内枠１２にねじ固定される。従って、施錠カバー４０１を施錠装置Ｇ１に取付けるためだけに用いられる孔を別途形成する必要がなくなるといった効果、又は、施錠カバー４０１を施錠装置Ｇ１に取付けることによって、施錠装置Ｇ１がより強固に内枠１２に固定されるといった効果が奏される。
【０１０６】
また、施錠カバー４０１が透明であることにより、施錠カバー４０１を取外さなくても、シリンダ錠１９６に対する不正の有無等を確認することができる。
【０１０７】
また、本実施形態では、施錠カバー４０１は、施錠装置Ｇ１（取付板１８７）に対し、ねじ７０１によって着脱可能に取着されることから、工場における製造作業性や、リサイクル・リユースに際しての分別作業性等の向上を図ることができる。
【０１０８】
一方で、施錠カバー４０１を着脱可能に構成する場合には、不正行為者が外枠１１と前面枠セット１４との間から不正に治具等をパチンコ機１０の内部に侵入させ、ねじ７０１を取外すことで施錠カバー４０１を取外し、上記のように段差部１７５を操作して、前面枠セット１４を不正開放してしまうといったことが懸念される。
【０１０９】
これに対し、本実施形態によれば、ねじ７０１のうち十字穴７０５が形成された頭部７０３が、取付板１８７を挟んで施錠カバー４０１の反対側（取付板１８７の前面側）に位置している。このため、十字穴７０５を、施錠カバー４０１側（パチンコ機１０の後方）に露出しない位置、すなわち、施錠装置Ｇ１と内枠１２（樹脂ベース２０）とで挟まれた位置に配置することができる。さらには、施錠装置Ｇ１の取付状態において、頭部７０３は、縦辺部７１２及び横辺部７１３によって囲まれた位置に配置されている。このため、施錠装置Ｇ１を内枠１２から取外さない限り、十字穴７０５にドライバー等を係合してねじ７０１を回転させて取外すことが不可能となる。従って、不正に施錠カバー４０１が取外されてしまうといったおそれを防止することができ、結果として、前面枠セット１４を不正に開放するといった不正行為をより確実に抑止することができる。
【０１１０】
さらに、頭部７０３の存在により、ねじ７０１を回したり施錠カバー４０１を引っ張ったりする等しても、ねじ７０１が施錠カバー４０１側から（パチンコ機１０の後方に）抜けないようになっている。従って、ねじ７０１が施錠カバー４０１側から取外されてしまうといったおそれを回避することができる。
【０１１１】
また、ねじ７０１をねじ込んで頭部７０３と取付板１８７の前面とを当接させることで、ねじ７０１のねじ込み量を均一にすることができる。従って、ねじ７０１のねじ込み量が少なく、ねじ７０１とねじ孔４２１（ねじ孔４２１の周壁部）との螺合面積が小さくなってしまうといったおそれを回避することができ、施錠カバー４０１の取付状態の安定化を図ることができる。
【０１１２】
加えて、頭部７０３に十字穴７０５を形成することで、十字穴７０５をより大きく形成することができ、ドライバーによって付加される応力をより確実にねじ７０１に伝達することができる。また、ドライバーとより広い面積で当接することとなり、十字穴７０５が潰れてしまうといった不具合も抑制することができる。
【０１１３】
次に、パチンコ機１０の背面の構成を図７に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【０１１４】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【０１１５】
図８は、内枠１２に遊技盤３０を組み付けた状態における構成を示す背面図である。同図に示すように、遊技盤３０は、樹脂ベース２０に囲まれた四角枠状の設置領域に設置され、内枠１２に設けられた複数（本実施形態では４カ所）の係止固定具２１１，２１２によって脱落しないように固定されている。
【０１１６】
遊技盤３０の中央には可変表示装置ユニット３５が配置されている。可変表示装置ユニット３５においては、センターフレーム４７（図５参照）を背後から覆う樹脂製（例えばＡＢＳ製）のフレームカバー２１３が後方に突出して設けられており、そのフレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【０１１７】
また、遊技盤３０の裏面には、可変表示装置ユニット３５を取り囲むようにして裏枠セット２１５が取り付けられている。この裏枠セット２１５は、遊技盤３０の裏面に張り付くようにして設けられる薄型の樹脂成形品であって、各種入賞口に入賞した遊技球を回収する遊技球回収機構が形成されている。詳しくは、裏枠セット２１５の下方には、前述した一般入賞口３１、可変入賞装置３２、第１契機対応口３３（それぞれ図５参照）の遊技盤開口部に対応し、且つ下流側で１カ所に集合する回収通路２１６が形成されている。また、遊技盤３０よりも下方の内枠１２には、樹脂製の排出通路盤２１７が取り付けられており、該排出通路盤２１７には、排出球をパチンコ機１０外部へ案内する排出通路２１８が形成されている。従って、図８に仮想線で例示するように、一般入賞口３１等に入賞した遊技球は何れも裏枠セット２１５の回収通路２１６を介して集合し、さらに排出通路盤２１７の排出通路２１８を介してパチンコ機１０外部に排出される。なお、アウト口３６（図５参照）も同様に排出通路２１８に通じており、何れの入賞口にも入賞しなかった遊技球も排出通路２１８を介してパチンコ機１０外部に排出される。
【０１１８】
上記構成では、遊技盤３０の下端面を境界にして、上方に裏枠セット２１５（回収通路２１６）が、下方に排出通路盤２１７（排出通路２１８）が設けられており、排出通路盤２１７が遊技盤３０に対して前後方向に重複（オーバーラップ）せずに設けられている。
【０１１９】
また、遊技盤３０の裏面には、各種入賞口などの遊技球の通過を検出する入賞感知機構などが設けられている。具体的には、遊技盤３０表側の一般入賞口３１に対応する位置には入賞口スイッチ２２１が設けられ、可変入賞装置３２に対応してはカウントスイッチ２２３が設けられている。カウントスイッチ２２３は可変入賞装置３２への入賞球をカウントするスイッチである。また、第１契機対応口３３に対応する位置には第１契機対応口スイッチ２２４が設けられ、第２契機対応口３４に対応する位置には第２契機対応口スイッチ２２５が設けられている。
【０１２０】
入賞口スイッチ２２１及び第２契機対応口スイッチ２２５は、図示しない電気配線を通じて盤面中継基板２２６に接続され、さらにこの盤面中継基板２２６が後述する主基板（主制御装置２６１）に接続されている。また、カウントスイッチ２２３は大入賞口中継基板２２７に接続され、さらにこの大入賞口中継基板２２７がやはり主基板に接続されている。これに対し、第１契機対応口スイッチ２２４は中継基板を介さずに直接主基板に接続されている。
【０１２１】
その他図示は省略するが、可変入賞装置３２には、大入賞口を開放する大入賞口ソレノイドが設けられ、第１契機対応口３３には、当該第１契機対応口３３に装備された電動役物を開放する第１契機対応口ソレノイドが設けられている。なお、本実施形態では、発射装置７２としてソレノイドを採用し、該ソレノイドを内枠１２の前面側に設けているため、背面側に発射モータ等を設置するためのスペースを必要とせず、スペースの有効活用を図ることができる。
【０１２２】
上記入賞感知機構にて各々検出された検出結果は、後述する主基板に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【０１２３】
また、裏枠セット２１５には、第１制御基板ユニット２０１を取り付ける取付機構が設けられている。さらに、内枠１２の裏面には、第２制御基板ユニット２０２や裏パックユニット２０３を取り付ける取付機構が設けられている。その他、内枠１２の背面構成において、遊技盤３０の右下部には、後述する払出機構より払い出される遊技球を上皿１９、下皿１５、又は排出通路２１８の何れかに振り分ける遊技球分配部２４５が設けられている。
【０１２４】
図７の説明に戻り、第１制御基板ユニット２０１は、主制御装置２６１と、副制御装置としてのサブ制御装置２６２とを具備している。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３（被包手段）に収容されて構成されている。なお、基板ボックス２６３は、略直方体形状のボックスベースと該ボックスベースの開口部を覆うボックスカバーとを備えている。これらボックスベースとボックスカバーとは封印ユニット２６４（封印手段）によって開封不能に連結され、これにより基板ボックス２６３が封印されている。
【０１２５】
封印手段としての封印ユニット２６４はボックスベースとボックスカバーとを開封不能に連結する構成であれば任意の構成が適用できるが、本実施形態では、５つの封印部材が連結された構成となっており、この封印部材の長孔に係止爪を挿入することでボックスベースとボックスカバーとが開封不能に連結されるようになっている。封印ユニット２６４による封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６４を構成する５つの封印部材のうち、少なくとも一つの封印部材の長孔に係止爪を挿入することにより封印処理が行われる。そして、収容した主基板の不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨を容易に発見することができる。
【０１２６】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。サブ制御装置２６２上には電源中継基板２６６が搭載されており、後述する電源基板より供給される電源がこの電源中継基板２６６を介してサブ制御装置２６２及び表示制御装置４５に出力される。
【０１２７】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置（ソレノイド）７２等の制御が行われ、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４を省略することも可能である。
【０１２８】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、前述した主制御装置２６１と同様、基板ボックス３１５（被包手段）を構成するボックスベースとボックスカバーとが封印ユニット３１９（封印手段）によって開封不能に連結され、これにより基板ボックス３１５が封印されている。
【０１２９】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【０１３０】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【０１３１】
次に、裏パックユニット２０３の構成を説明する。裏パックユニット２０３は、樹脂成形された裏パック３５１と遊技球の払出機構部３５２とを一体化したものである。
【０１３２】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する（但し本実施形態では、前述のサブ制御装置２６２も合わせて囲む構成となっている）。
【０１３３】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置（払出手段）３５８はケースレール３５７の最下流部に設けられ、払出モータ３５８ａ等の所定の電気的構成により必要個数の遊技球の払出が適宜行われる。そして、払出装置３５８より払い出された遊技球は前記上皿１９に供給される。また、タンクレール３５６には、当該タンクレール３５６に振動を付加するバイブレータ３６０が取り付けられており、仮にタンクレール３５６付近で球詰まりが生じた際、バイブレータ３６０が駆動されることで球詰まりの解消が図られる。
【０１３４】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【０１３５】
また、裏パックユニット２０３は、外部中継端子板２３０用の開口部３９１が設けられており、裏パックユニット２０３の固定された状態でも、外部中継端子板２３０の取外し及び操作が可能となっている。
【０１３６】
なお、上述してきた構成により、主制御装置２６１（基板ボックス２６３）の取外しは、まず裏パックユニット２０３を開け、次に第１制御基板ユニット２０１を開け、そして、主制御装置２６１を固定している固定具を解除操作するという複雑な過程をふむことにより、ようやく行うことができる。このため、主制御装置２６１（基板ボックス２６３）の取り外し等の不正行為に対して抑止効果が期待できる。
【０１３７】
なお、本実施形態では、主制御装置２６１は、厳重に封印された基板ボックス２６３に格納されているため、主制御装置２６１に何らかの不正な信号を送ったりする等の不正行為は困難である。このため、主制御装置２６１によって直接的に制御される特別表示装置４３のＬＥＤを「赤」又は「緑」の大当たりの態様で不正に点灯させることは困難である。従って、装飾図柄表示装置４２に大当たりとなったかのような表示を行わせるとともに、セルなどを用いて大入賞口を強制的に開放し、大当たりとなっていないにもかかわらず出玉を獲得するというような不正行為が行われる場合にも、特別表示装置４３の点灯態様を確認することによって、そのような不正行為が簡単に発見できる。
【０１３８】
次に、パチンコ機１０の電気的構成について説明する。図２１は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１３９】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１４０】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１４１】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【０１４２】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。ここには後述する各種カウンタの値を格納するカウンタ用バッファが設けられている。
【０１４３】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０６が接続されている。
【０１４４】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。つまり、変動パターンコマンドは、特別表示装置４３にて行われる表示に合わせた表示を装飾図柄表示装置４２にて行わせるためにサブ制御装置２６２に出力されるコマンドである。
【０１４５】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１４６】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１４７】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１４８】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０１４９】
発射制御装置３１２は、発射装置７２による遊技機の発射を許可又は禁止するものであり、発射装置７２は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７２が駆動され、ハンドル１８の操作量に応じた強度で遊技球が発射される。
【０１５０】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の出力ポート５５６が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【０１５１】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。ここには後述する各種カウンタの値を格納するカウンタ用バッファが設けられている。
【０１５２】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【０１５３】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１５４】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１５５】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１５６】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１５７】
以上、本発明は、上記実施の形態には何ら限定されるものではなく、本発明の趣旨を逸脱しない限りにおいて、種々の形態で実施できることは言うまでもない。
【０１５８】
（ａ）上記実施形態では、施錠カバー４０１が膨出部１７５の全体及びシリンダ錠１９６の固定部１６１、カム板１６３を覆っているが、特にこのような構成に限定されるものではなく、施錠カバー４０１は、少なくとも下段差部１７８を覆うよう構成されていればよい。この場合、少なくとも下段差部１７８の上面に対してパチンコ機１０の内部に侵入させた金属片等を当てて押圧し、摺動杆１９１を下方に摺動させて前面枠セット１４を開放させるといった不正行為を防止することができる。また、施錠カバー４０１が支持板膨出部１７６の後辺部を覆うよう構成してもよい。
【０１５９】
（ｂ）上記実施形態における施錠カバー４０１の形状や素材等は特に限定されるものではなく、当該施錠カバー４０１によって、膨出部１７５の上段差部１７７及び下段差部１７８が接触不可能又は接触困難となるよう構成されていればよい。例えば、不透明な樹脂や金属等により施錠カバー４０１を構成してもよい。
【０１６０】
また、突起部４１７を省略してもよい。さらに、操作孔４１８の形成範囲が保護部４０３の縦壁部４３１にまで及ぶよう多少大きく構成してもよい。但し、施錠カバー４０１内部への金属片等の侵入を防止するといった観点から、操作孔４１８は極力小さく構成することが望ましい。また、操作孔４１８を省略してもよい。加えて、前壁部４３２の上縁部及び下縁部から後方に向けて突出する突条部４３５を省略してもよい。また、取付状態にある施錠カバー４０１と鉤部材１９３とが離間している場合には、摺動スリット４３６を省略することができる。
【０１６１】
また、上取付部４０２ａ，下取付部４０２ｂの形状に関しても特に限定されるものではなく、例えば、ねじ７０１の先端部を接触不可能とするべく、例えば、図２６に示すように、上取付部４０２ａ，下取付部４０２ｂを、ボックス状に構成してもよい。さらに、上記実施形態では、ねじ孔４２１が上取付部４０２ａ，下取付部４０２ｂを前後に貫通する孔として構成されているが、図２７に示すように、有底状の穴として構成してもよい。また、穴によってねじ孔４２１を構成する場合、ねじ７０１の施錠カバー４０１へのねじ込み量を確保するべく、取付部４０２ａ，下取付部４０２ｂの対応部位を厚肉にしてもよい。これらのように、ねじ７０１の先端部（十字穴７０５が形成されていない方の端部）側を覆う構成を採用する場合、ねじ７０１が不正に取外されてしまうといった事態をより確実に回避することができる。尚、上記実施形態のように、ねじ７０１が頭部７０３を有する場合には、ねじ７０１をねじ込んで頭部７０３と取付板１８７の前面とを当接させることで、ねじ７０１のねじ込み量を均一にすることができることから、上記のように穴によってねじ孔４２１を構成する場合に、ねじ７０１をねじ込みすぎることに起因して施錠カバー４０１が浮き上がってしまうといったおそれ等を防止することができる。
【０１６２】
また、図２８に示すように、上取付部４０２ａ，下取付部４０２ｂにおいて金属製のカラー８３１をインサート成形することで、ねじ孔４２１を形成してもよい。この場合、ねじ孔４２１の剛性、耐久性を向上させることができ、ねじ孔４２１のねじ山が潰れてしまうといったおそれを抑制することができる。
【０１６３】
（ｃ）上記実施形態における摺動杆１９１の摺動操作部１９９を省略してもよい。また、上記実施形態では、摺動操作部１９９の下方への移動を規制する規制手段として収容凹部８９ａが形成されているが、例えば、外枠１１の右側部に対し、内枠１２の閉状態において、摺動杆１９１の下方への摺動に際して摺動操作部１９９と接触して支持する支持金具を規制手段として設けてもよい。また、収容凹部８９ａを省略してもよい。
【０１６４】
（ｄ）上記実施形態における取付板１８７の形状は特に限定されるものではなく、例えば、少なくとも取付板１８７のうちシリンダ錠１９６の固定部１６１の取付位置、すなわち、施錠カバー４０１の取付位置に対応して、支持板１８８が延びる端縁とは反対側の端縁（図１７、図１８では左側の端縁）から後方に延びる固定板を設けてもよい。この場合、該固定板に施錠カバー４０１を取着するとともに、施錠装置Ｇ１の内枠１２への取付状態において、該固定板と内枠１２とが略当接状態となるよう設定してもよい。さらに、該固定部において施錠装置Ｇ１を内枠１２に取着してもよい。
【０１６５】
（ｅ）上記実施形態では、内枠１２の後面に施錠機構Ｇ１が取付けられているが、内枠１２の前面に施錠機構Ｇ１を取付けてもよいし、前面枠セット１４の後面に施錠機構Ｇ１を取付けてもよい。また、上記実施形態では、前面枠セット１４の施錠機構に関し、前面枠セット１４に爪部６４３，６４４を具備する鉤部材（前面枠セット鉤部１４ａ，１４ｂ）が設けられ、施錠装置Ｇ１に爪部６４３，６４４と係合する受部材（前面枠セット施錠部材１９４，１９５）が設けられているが、施錠装置Ｇ１に爪部を具備する鉤部材を設け、前面枠セット１４に該爪部と係合する受部を設けてもよい。この場合、鉤部材が施錠位置と解錠位置との間で移動することとなる。
【０１６６】
さらに、上記実施形態では、内枠１２の施錠機構に関し、施錠装置Ｇ１が爪部６０５，６０６を具備する鉤部材（鉤部材１９２，１９３）を備え、外枠１１に爪部６０５，６０６と係合する受部材（爪馬８３，８４）が設けられているが、外枠１１に爪部を具備する鉤部材を設け、施錠装置Ｇ１に該爪部と係合する受部材を設けてもよい。この場合、受部材が施錠位置と解錠位置との間で移動することとなる。
【０１６７】
（ｆ）上記実施形態では、外枠１１に収容凹部８９ａを形成することで、外枠１１と内枠１２との間からパチンコ機１０内部に侵入させた金属片等により摺動操作部１９９を操作して前面枠セット１４を不正に開放させるといった行為を防止しているが、例えば、摺動操作部１９９を覆う透明又は半透明な操作部カバーを設けることで上記不正行為を防止することとしてもよい。また、操作部カバーは、内枠１２の閉状態において、少なくとも摺動操作部１９９のうち、基枠１８６の内側を覆っていればよく、例えば、後方に開口する孔部、切欠き部等が形成されていてもよい。この場合、操作部カバーを取付けた後においても、該孔部を介して摺動操作部１９９を操作することができ、前面枠セット１４の開放に際しての作業性の向上を図ることができる。もちろん、操作部カバーによって摺動操作部１９９を完全に覆い、摺動操作部１９９への接触を不可能としてもよい。この場合、不正に摺動操作部１９９を操作して前面枠セット１４を開放するといった不正行為をより確実に防止することができる。なお、摺動操作部１９９を完全に覆う操作部カバーを取付ける場合には、工場におけるパチンコ機１０の製造工程（検査等も含む）の最後に取付けられるのが望ましい。」
（ｇ）上記実施形態とは異なるタイプのパチンコ機等として実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当り図柄が表示された後に所定の領域に遊技球を入賞させることを必要条件として特別遊技状態となるパチンコ機として実施してもよい。さらに、羽根モノと称されるパチンコ機に適用することも可能である。また、パチンコ機以外にも、アレンジボール機や、それに類する雀球等の各種遊技機として実施することも可能である。ただし、これらの遊技機には、液晶表示装置やドットマトリクス表示装置等の可変表示装置が搭載されているものとする。
【０１６８】
（ｈ）パチンコ機以外の遊技機として、可変表示装置としての補助表示装置（液晶表示装置、ドットマトリクス表示装置）を備える回胴式遊技機としてのスロットマシンとしても、もちろん実施可能である。なお、スロットマシンは、複数の図柄が付された回転体を備えており、例えばコインを投入して、図柄有効ラインを決定させた状態で操作レバーを操作することにより図柄が変動し、停止ボタンを操作することで図柄が停止される周知のものである。この場合、補助表示装置は、回転体の回転に伴って各種演出態様を表示する。
【０１６９】
また、パチンコ機とスロットマシンとが融合した遊技機として実施してもよい。具体例としては、複数の識別情報からなる識別情報列（具体的にはリールであり、識別情報はリールに付されたシンボルである）を変動表示（具体的にはリールの回動である）した後に識別情報を最終停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その際になされる抽選結果により、遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるものである。
【０１７０】
（ｉ）上記実施形態では、施錠カバー４０１をねじ７０１によって取付板１８７に取着しているが、特にこのような構成に限定されるものではない。以下、一態様例について図２９を参照しつつ説明する。尚、図２９は、取付状態にある施錠カバー４０１を上下に切断したときの断面図である。
【０１７１】
図２９に示すように、施錠カバー４０１には、取付基部４０２から施錠カバー４０１の取付方向である後方（施錠装置Ｇ１の取付状態においてはパチンコ機１０の前方）に延びる延出部８０２と、延出部８０２の略先端部から延出部８０２と直交する方向に突出する爪部８０３とを具備する一対の係止部８０１が設けられている。また、係止部８０１は、取付基部４０２の外周縁部よりも所定間隔を隔てて内側に設けられている。そして、係止部８０１を貫通孔８１１に対して、取付基部４０２と取付板１８７の後面とが当接するまで挿通し、爪部８０３を貫通孔８１１周縁の取付板１８７の前面に係止させることで、施錠カバー４０１が取付板１８７（施錠装置Ｇ１）に取着される。本例では、係止部８０１が取付手段を構成し、爪部８０３が解除操作部を構成する。
【０１７２】
以上のような構成を採用した場合においても、解除操作部としての爪部８０３が、取付板１８７を挟んで施錠カバー４０１のうち取付基部４０２や保護部４０３とは反対側（取付板１８７の前面側）に位置するため、施錠装置Ｇ１を取外さない限り爪部８０３の係止状態を解除できない構成とすることができる。このため、上記実施形態と同様に施錠カバー４０１が不正に取外されてしまうといったおそれを防止することができる。さらに、係止部８０１を貫通孔８１１に挿通させることだけ（ワンタッチ）で施錠カバー４０１を取付板１８７に取着することができるため、施錠カバー４０１の取付作業性の向上を図ることができる。
【０１７３】
また、係止部８０１が取付基部４０２の外周縁部よりも所定間隔を隔てて内側に設けられることにより、施錠カバー４０２の取付方向から見て、取付板１８７に形成される貫通孔８１１を、取付基部４０２の外周縁部よりも内側に位置させることができる。このため、係止部８０１と貫通孔８１１との隙間に金属片等を挿入させるといったことが不可能となり、前記隙間から金属片等を挿入し、係止部８０１の係止状態を解除するといった行為を防止することができる。
【０１７４】
尚、上記した係止部８０１のみで施錠カバー４０１を取付板１８７に取着してもよいし、係止部８０１と、上記実施形態のねじ７０１とを併用して施錠カバー４０１を取付板１８７に取着してもよい。
【０１７５】
（ｊ）上記実施形態における頭部７０３を省略してもよい。この場合、ねじ本体７０２の一端部に十字穴７０５を形成することとする。
【０１７６】
また、上記実施形態では、工具係合部として十字穴７０５が形成されているが、特にこれに限定されるものではなく、ねじ７０１の取付けに際して使用される工具に適応した工具係合部を形成することが望ましい。例えば、工具係合部としてすりわりを形成してもよいし、六角柱状の突起を設けてもよい。
【０１７７】
（ｋ）上記実施形態では、施錠装置Ｇ１は、取付板１８７が内枠１２から後方に延出するリブ７１１に当接した状態で内枠１２に取着され、ねじ７０１の頭部７０３がリブ７１１に囲まれるよう構成となっているが、このような構成に限定されるものではない。例えば、内枠１２のうち施錠装置Ｇ１が配設される部位を平坦面とし（リブ７１１を省略し）、当該部位に対して取付板１８７を当接又は略当接させた状態で施錠装置Ｇ１を内枠１２に取着してもよい。この場合においても、施錠装置Ｇ１を取外さない限り、ねじ７０１、ひいては、施錠カバー４０１を取外すことができないといった上記実施形態と同様の作用効果が奏される。但し、取付板１８７を平坦面に当接させる場合には、取付状態の安定化を図るべく、ねじ７０１の頭部７０３を取付板１８７の前面に没入させることが望ましい。尚、リブ７１１のうち縦辺部７１２を省略した場合であっても、ねじ７０１の十字穴７０５が施錠カバー４０１側（後方）に露出しないため、ねじ７０１を取外すといった行為は非常に困難なものとなる。従って、施錠カバー４０１を取外し、前面枠セット１４を不正に開放するといった不正行為を十分に抑制することができる。
【０１７８】
（ｌ）また、施錠カバー４０１の取付状態において頭部７０３が取付板１８７の前面に没入していてもよい。この場合、頭部７０３をプライヤー等で挟んで回転させ、ねじ７０１を取外すといった行為が不可能となり、施錠カバー４０１が不正に取外されてしまうといったおそれをより確実に防止することができる。
【０１７９】
［付記］
上記実施形態から把握できる技術的思想について、以下に記載する。
【０１８０】
手段１．遊技機本体の前面側に設けられ、前記遊技機本体の一側部において開閉可能に支持される前面扉と、
閉状態にある前記前面扉の開放を規制する施錠手段とを備え、
前記施錠手段は、
前後方向に延び、鍵が挿入されて回動操作されるシリンダ錠と、
前記シリンダ錠が取着固定される取付面を有し、前記遊技機本体の前記一側部とは反対側の他側部又は前記遊技機本体の他側部に対応する前記前面扉の側部に沿って取付固定される取付部を具備する基枠と、
前記取付部の延在方向に沿って上下に摺動可能に設けられた摺動部材と、
前記基枠に対して相対移動可能に設けられた係合部とを備え、
前記前面扉の閉状態においては、前記前面扉又は前記遊技機本体のうち前記施錠手段が設けられていない方に設けられた被係合部に対し前記係合部が係合して、前記前面扉の開放が規制され、
前記シリンダ錠の回動操作が行われることで、前記摺動部材が当該回動操作に連動して特定方向に摺動するとともに、前記係合部が当該摺動部材の摺動に連動して前記被係合部と係合する施錠位置から前記被係合部との係合状態が解除される解錠位置へと移動して、前記前面扉の開放が許容され、
前記摺動部材は、前記シリンダ錠の配設位置に対応する部位において、前記取付面と交差する方向（前方又は後方）に延び、かつ、前記シリンダ錠から離間する方向（前記前面扉の中心側又は前記遊技機本体の中心側）に膨出する膨出部を備え、
少なくとも前記膨出部のうち、前記摺動部材の摺動方向と交差する方向に延び、かつ、前記シリンダ錠よりも前記前面扉を開放する際の前記摺動部材の摺動方向側に位置する段差部位を覆う施錠カバーを設けたことを特徴とする遊技機。
【０１８１】
手段１によれば、摺動部材の膨出部において形成される段差部位のうち、少なくともシリンダ錠よりも前面扉を開放する際の摺動部材の摺動方向側に位置する段差部位を覆う施錠カバーが設けられている。これにより、摺動部材の膨出部において形成される段差部位のうち、摺動部材の外面側に形成され、かつ、押圧されることで摺動部材を摺動させて前面扉を開放することのできる面を有する段差部位が施錠カバーにより接触困難又は接触不可能とされている。従って、例えば、内枠と外枠との間から無理やり遊技機内部に挿入した金属片を前記段差部位に当てて押圧することで、摺動部材及び係合部を摺動させて前面扉を開放するといった不正行為を防止することができる。
【０１８２】
尚、「前記係合部を前記施錠位置側に付勢する付勢手段を備え」ることとしてもよい。この場合、前面扉の施錠状態をより確実に保持することができる。
【０１８３】
手段２．遊技機本体の前面側に設けられ、前記遊技機本体の一側部において開閉可能に支持される前面扉と、
閉状態にある前記前面扉の開放を規制する施錠手段とを備え、
前記施錠手段は、
前後方向に延び、鍵が挿入されて回動操作されるシリンダ錠と、
前記シリンダ錠が取着固定される取付面を有し、前記遊技機本体の前記一側部とは反対側の他側部又は前記遊技機本体の他側部に対応する前記前面扉の側部に沿って取付固定される取付部、及び、前記取付面のうち前記遊技機本体の中心側又は前記前面扉の中心側の端縁から当該取付面と交差する方向に延びる支持部を具備する基枠と、
前記支持部に沿って上下に摺動可能に設けられた摺動部材と、
前記基枠に対して相対移動可能に設けられた係合部とを備え、
前記前面扉の閉状態においては、前記前面扉又は前記遊技機本体のうち前記施錠手段が設けられていない方に設けられた被係合部に対し前記係合部が係合して、前記前面扉の開放が規制され、
前記シリンダ錠の回動操作が行われることで、前記摺動部材が当該回動操作に連動して特定方向に摺動するとともに、前記係合部が当該摺動部材の摺動に連動して前記被係合部と係合する施錠位置から前記被係合部との係合状態が解除される解錠位置へと移動して、前記前面扉の開放が許容され、
前記摺動部材は、前記シリンダ錠の配設位置に対応する部位において前記シリンダ錠から離間する方向（前記前面扉の中心側又は前記遊技機本体の中心側）に膨出する膨出部を備え、
少なくとも前記膨出部のうち、前記摺動部材の摺動方向と交差する方向に延び、かつ、前記シリンダ錠よりも前記前面扉を開放する際の前記摺動部材の摺動方向側に位置する段差部位を覆う施錠カバーを設けたことを特徴とする遊技機。
【０１８４】
手段２によれば、上記手段１と同様の作用効果が奏される。
【０１８５】
手段３．遊技機の外郭を構成する外枠と、
前記外枠の一側部において開閉可能に支持される内枠と、
前記内枠の前面側に設けられ、前記外枠の一側部と対応する前記内枠の一側部において開閉可能に支持される前面扉と、
閉状態にある前記前面扉及び前記内枠の開放を規制する施錠手段とを備え、
前記施錠手段は、
前後方向に延び、鍵が挿入されて回動操作されるシリンダ錠と、
前記シリンダ錠が取着固定される取付面を有し、前記内枠の前記一側部とは反対側の他側部に沿って取付固定される取付部、及び、前記取付面のうち前記内枠の中心側の端縁から後方に向けて延びる支持部を具備する基枠と、
前記支持部に沿って上下に摺動可能に設けられた摺動部材と、
前記基枠に対して相対移動可能に設けられた扉係合部、及び、内枠係合部とを備え、
前記前面扉の閉状態においては、前記前面扉に設けられた被扉係合部に対して前記扉係合部が係合して、前記前面扉の開放が規制され、
前記シリンダ錠の一方側への回動操作が行われることで、前記摺動部材が当該回動操作に連動して上方又は下方に摺動するとともに、前記扉係合部が当該摺動部材の摺動に連動して前記被扉係合部と係合する施錠位置から前記被扉係合部との係合状態が解除される解錠位置へと移動して、前記前面扉の開放が許容され、
前記内枠の閉状態においては、前記外枠に設けられた被内枠係合部に対して前記内枠係合部が係合して、前記内枠の開放が規制され、
前記前面扉の開放のときとは反対側に前記シリンダ錠の回動操作が行われることで、前記摺動部材が当該回動操作に連動して前記前面扉の開放のときとは反対方向に摺動するとともに、前記内枠係合部が当該摺動部材の摺動に連動して前記被内枠係合部と係合する施錠位置から前記被内枠係合部との係合状態が解除される解錠位置へと移動して、前記内枠の開放が許容され、
前記摺動部材は、前記シリンダ錠の配設位置に対応する部位において前記内枠の中心側に膨出する膨出部を備え、
少なくとも前記膨出部のうち、前記摺動部材の摺動方向と交差する方向に延び、かつ、前記シリンダ錠よりも前記前面扉を開放する際の前記摺動部材の摺動方向側に位置する段差部位を覆う施錠カバーを設けたことを特徴とする遊技機。
【０１８６】
手段３によれば、上記手段１、２と同様の作用効果が奏される。
【０１８７】
手段４．前記摺動部材は、当該摺動部材の摺動方向と交差する方向に突出する摺動操作部を備え、
前記外枠は、前記内枠の閉状態において少なくとも前記前面扉を開放する際の前記摺動部材の摺動方向側への前記摺動操作部の移動を規制する規制手段を具備することを特徴とする手段３に記載の遊技機。
【０１８８】
手段４によれば、摺動操作部の存在により、該摺動操作部を（押圧）操作することで摺動部材を摺動させることができる。このため、内枠を開放した状態において、シリンダ錠の回動操作を行わなくても、摺動操作部を操作して前面扉を開放させることができる。
【０１８９】
但し、摺動操作部を設ける場合には、上記のように遊技機内部に侵入させた金属片等を摺動操作部に当てて押圧し、前面扉を開放するといった不正行為が行われることが懸念される。この点、本手段４によれば、内枠の閉状態において、前面扉を開放させるべく摺動部材を摺動させようとしても、規制手段により摺動部材の摺動が規制されるため、上記おそれを払拭することができる。
【０１９０】
尚、規制手段は、内枠の閉状態において、前面扉を開放させる方向に摺動部材を摺動させようとした場合に、摺動操作部と接触して支持するよう構成されていればよく、例えば、外枠に取着固定される金具であってもよいし、外枠の内側が削られることにより形成され、内枠の閉状態において摺動操作部を収容する収容凹部であってもよい。後者の構成を採用する場合、金具を取付けるといった作業を省略することができる。
【０１９１】
手段５．前記施錠カバーは、前記シリンダ錠よりも前記前面扉を開放する際の前記摺動部材の摺動方向側とは反対側に位置する段差部位についても覆うよう構成されていることを特徴とする手段１乃至４のいずれかに記載の遊技機。
【０１９２】
手段５によれば、遊技機内部に侵入させた金属片等を膨出部の膨出側から段差部位に当てて押圧し、摺動部材を摺動させて前面扉を開放するといった不正行為を防止することができる。また、遊技機内部に侵入させた金属片等を段差部位に当てて押圧し、内枠を開放する方向に摺動部材を摺動させるといった不正行為を防止することができる。尚、「前記施錠装置に対し前記膨出部全体を覆う施錠カバーを取着固定したこと」としてもよい。
【０１９３】
手段６．前記シリンダ錠は、
前記取付部の背面側に固定される固定部と、
前記固定部から前方に向けて前記取付部を貫通して延び、鍵穴を有する錠本体と、
前記固定部の背面側に設けられ、前記鍵穴に挿入された鍵の回転動作を前記摺動部材に伝達する伝達部材とを備え、
前記施錠カバーは、
前記取付部の背面側に取付固定される取付基部と、
前記取付基部の取付状態において前記段差部を覆う保護部とを備え、
前記取付基部は、その取付状態において前記固定部及び前記伝達部材を収容する収容部を具備することを特徴とする手段１乃至５のいずれかに記載の遊技機。
【０１９４】
手段６によれば、施錠カバーは、前記段差部のみならず、施錠装置の固定部及び伝達部材についても覆うよう構成されることで、段差部へと通じる隙間を極力少なくすることができる。
【０１９５】
また、施錠カバーは取付部に取付固定されている。このため、施錠カバーを支持部にねじ固定するような場合に比べ、施錠装置の横幅が大きくなってしまうといったおそれを抑止することができる。さらには、施錠カバーを施錠装置（取付部）にねじ固定する場合、同ねじによって施錠装置についても被取付部（遊技機本体、内枠、又は前面扉）に対してねじ固定されることとなる。従って、施錠カバーを施錠装置に取付けるためだけに用いられる孔を別途形成する必要がなくなるといった効果、又は、施錠カバーを施錠装置に取付けることによって施錠装置がより強固に被取付部に固定されるといった効果が奏される。
【０１９６】
手段７．前記施錠カバーは、前記収容部の内面から突出する突起部を備え、
前記施錠カバーの取付状態においては、前記突起部と前記固定部の周縁部とが略当接状態とされることを特徴とする手段６に記載の遊技機。
【０１９７】
手段７によれば、突起部により施錠カバーの位置決めが行われるため、取付作業性の向上及び取付状態の安定化を図ることができる。尚、前記施錠カバーは、前記保護部において、前記支持部に係止される係止片を備えることとしてもよい。この場合、上記作用効果がより確実に奏される。
【０１９８】
手段８．前記シリンダ錠の前記固定部は、当該シリンダ錠のキーコードを変更する際に操作されるリセットピンを備え、
前記施錠カバーには、その取付状態において前記リセットピンに対応する位置に操作用の孔又は切欠きが形成されていることを特徴とする手段６又は７に記載の遊技機。
【０１９９】
手段８によれば、リセットピンを操作する際に、施錠カバーを取外すといった手間を省略することができる。
【０２００】
手段９．前記施錠カバーは、前記基枠の前記取付部に対して取付手段により着脱可能に取着され、
前記取付手段は、所定の操作を行うことで前記施錠カバーの取付状態を解除することができる解除操作部を備え、
前記解除操作部は、前記施錠カバーの取付状態において、前記取付部を挟んで前記施錠カバーの反対側に位置することを特徴とする手段１乃至８のいずれかに記載の遊技機。
【０２０１】
手段９によれば、施錠カバーは、基枠に対して取付手段により着脱可能に取着されているため、工場における製造作業性や、リサイクル・リユースに際しての分別作業性等の向上を図ることができる。
【０２０２】
一方で、施錠カバーを着脱可能に構成する場合には、不正行為者が取付手段による取付状態を解除して施錠カバーを取外し、上記のように段差部を操作して、前面扉を不正開放してしまうといったことが懸念される。
【０２０３】
これに対し、本手段によれば、取付手段のうち、所定の操作を行うことで施錠カバーの取付状態を解除する解除操作部が、取付部を挟んで施錠カバーの反対側に位置している。このため、解除操作部を施錠カバー側に露出しない位置、すなわち、施錠手段と該施錠手段が取着される前面扉又は遊技機本体のうちの一方とで挟まれた位置に配置することができ、施錠手段を前面扉又は遊技機本体から取外さない限り、解除操作部を接触不可能又は接触困難とすることができる。従って、不正に施錠カバーが取外されてしまうといったおそれを防止することができ、結果として、前面扉を不正に開放するといった不正行為をより確実に抑止することができる。
【０２０４】
手段１０．前記施錠手段の取付状態において、前記解除操作部を、前記前面扉又は前記遊技機本体のうち前記施錠手段が取着される一方に対して当接状態、略当接状態、又は前記取付手段を取外し不能とする距離を隔てた近接状態とすることを特徴とする手段９に記載の遊技機。
【０２０５】
手段１０によれば、施錠手段を前面扉又は遊技機本体から取外さない限り、解除操作部を操作して施錠カバーの取付状態を解除するといった行為を不可能とすることができ、結果として、上記手段９の作用効果がより確実に奏される。
【０２０６】
尚、取付部の形状は特に限定されるものではなく、例えば、平板状であってもよいし、断面略Ｌ字状であってもよい。また、例えば、解除操作部が取付面とは反対側の面側に位置することとしてもよいし、取付面の側部から該取付面と交差する方向に延びる固定部に当接し、固定部のうち施錠カバーとの当接面とは反対側の面側に解除操作部が位置することとしてもよい。また、施錠手段は、施錠カバーが取付面の側部から該取付面と交差する方向に延びる固定部において前記前面扉又は前記遊技機本体に取着されることとしてもよい。
【０２０７】
また、前面扉又は遊技機本体のうち施錠手段が取着される一方に対し、施錠手段の取付状態において、少なくとも解除操作部よりも当該一方の外周側に位置する部位において、当該一方と取付部との間に形成される間隙を閉塞するリブを設けてもよい。この場合、前面扉又は遊技機本体と取付部との間から解除操作部への接触を図ることも不可能又は困難となり、上記作用効果が一層確実に奏される。
【０２０８】
手段１１．前記取付手段は外周にねじ山が形成された略円柱状のねじであり、
前記解除操作部は前記ねじの一端部に形成された工具係合部であり、
前記ねじが前記取付部に形成された取付孔、及び、前記施錠カバーに形成されたねじ孔にねじ込まれることで前記施錠カバーが前記取付部に取着され、
前記施錠カバーの取付状態において、前記工具係合部が前記取付部を挟んで前記施錠カバーの反対側に面することを特徴とする手段９又は１０に記載の遊技機。
【０２０９】
手段１１によれば、十字穴やすりわり等の工具係合部に対して、ドライバー等の工具の先端部を係合してねじをねじ込んだり取外したりすることができる。そして、工具係合部が取付部を挟んで施錠カバーの反対側に面することにより、上記手段９、１０の作用効果が確実に奏される。
【０２１０】
尚、ねじ孔は、施錠カバーの所定部位を貫通する孔でなくてもよく、有底状の穴であってもよい。また、施錠カバーの取付状態においてねじのうち工具係合部が形成された一端部が取付部に没入していてもよい。この場合、ねじの工具係合部側の端部をプライヤー等で挟んで回転させ、ねじを取外すといった行為が不可能となり、施錠カバーが不正に取外されてしまうといったおそれをより確実に防止することができる。
【０２１１】
手段１２．前記ねじはその一端部において拡径部を備え、
前記工具係合部は前記拡径部に形成されていることを特徴とする手段１１に記載の遊技機。
【０２１２】
手段１２によれば、拡径部の存在により、ねじを回したり施錠カバーを引っ張ったりする等しても、ねじが施錠カバー側から抜けないようになっている。従って、ねじが施錠カバー側から取外されてしまうといったおそれを回避することができる。
【０２１３】
また、ねじをねじ込んで拡径部と取付部とを当接させることで、ねじのねじ込み量を均一にすることができる。従って、例えば、ねじが施錠カバーの背面側に露出しないように施錠カバーに対して底部を有するねじ穴を形成し、該ねじ穴にねじを螺着する構成の場合に、ねじをねじ込みすぎることに起因して施錠カバーが浮き上がってしまうといったおそれ等を防止することができる。また、ねじのねじ込み量を画定できるため、ねじのねじ込みが少なく、ねじとねじ孔（ねじ孔の周壁部）との螺合面積が小さくなってしまうといったおそれを回避することができ、施錠カバーの取付状態の安定化を図ることができる。
【０２１４】
加えて、工具係合部をより大きく形成することができ、工具によって付加される応力をより確実にねじに伝達することができる。また、工具とより広い面積で当接することとなり、工具係合部が潰れてしまうといった不具合も抑制することができる。
【０２１５】
手段１３．前記取付手段は、前記施錠カバーと一体形成され、前記施錠カバーのうち前記取付部と対向する部位から前記施錠カバーの取付方向に向けて延びる延出部と、前記延出部の略先端部から前記延出部と交差する方向に突出する前記解除操作部としての爪部とを具備する係止部であり、
前記係止部が前記取付部に形成された貫通孔に挿通され、前記爪部が前記取付部を挟んで前記施錠カバーのうち前記段差部を覆う部位とは反対側に位置し、前記爪部が前記貫通孔周縁の前記取付部に係止されることで前記施錠カバーが前記取付部に当接状態で取着されることを特徴とする手段９乃至１２のいずれかに記載の遊技機。
【０２１６】
手段１３によれば、係止部を貫通孔に挿通させるだけ（ワンタッチ）で、施錠カバーを取付部に取着することができ、施錠カバーの取付作業性の向上を図ることができる。また、施錠カバーを取外すためには、取付部を挟んで施錠カバーのうち段差部を覆う部位とは反対側から爪部の係止状態を解除する必要がある。つまり、施錠手段を前面扉又は遊技機本体から取外さない限り、爪部を操作して施錠カバーの取付状態を解除するといった行為を不可能とすることができる。結果として、上記手段９の作用効果が確実に奏される。
【０２１７】
尚、本手段１３に記載の係止部のみで施錠カバーを取付部に取着してもよいし、係止部と、上記手段１１又は１２に記載のねじとを併用して施錠カバーを取付部に取着してもよい。
【０２１８】
尚、手段６に対応しては、前記取付手段は、前記取付基部のうち前記取付部との対向面から前記施錠カバーの取付方向に向けて延びる延出部と、前記延出部の略先端部から前記延出部と交差する方向に突出する前記解除操作部としての爪部とを具備する少なくとも一対の係止部であり、前記係止部が前記取付部に形成された貫通孔に挿通され、前記爪部が前記取付部を挟んで前記前記取付基部とは反対側に位置し、前記爪部が前記貫通孔周縁の前記取付部に係止されることで前記施錠カバーが前記取付部に当接状態で取着されることとしてもよい。
【０２１９】
手段１４．前記係止部は、取付状態にある前記施錠カバーのうち前記取付部と当接する当接部位の外周縁部よりも所定間隔を隔てて内側に設けられることを特徴とする手段１３に記載の遊技機。
【０２２０】
手段１４によれば、施錠カバーの取付方向から見て、取付部に形成される貫通孔を、施錠カバーの当接部位の外周縁部よりも内側に位置させることができる。このため、係止部と貫通孔との隙間に金属片等を挿入させるといったことが不可能となり、前記隙間から金属片等を挿入し、係止部の係止状態を解除するといった行為を防止することができる。
【０２２１】
以下に、上記各手段が適用される各種遊技機の基本構成を示す。
【０２２２】
Ａ．上記各手段における前記遊技機は弾球遊技機であること。より詳しい態様例としては、「遊技者が操作する始動操作手段（遊技球発射ハンドル）と、当該指導操作手段の操作に基づいて遊技球を弾いて発射する球発射手段（発射モータ、発射ソレノイド等）と、当該発射された遊技球を所定の遊技領域に導く球通路（レールユニットの球案内通路）と、前記遊技領域内に配置された各遊技部品（一般入賞口、可変入賞装置、作動口、可変表示ユニット等）とを備え、前記遊技領域を流下する遊技球の挙動を視認可能に構成されてなる弾球遊技機。」が挙げられる。
【０２２３】
Ｂ．上記各手段における前記遊技機は、可変表示装置を備えた弾球遊技機であること。より詳しい態様例としては、「遊技者が操作する始動操作手段（遊技球発射ハンドル）と、当該指導操作手段の操作に基づいて遊技球を弾いて発射する球発射手段（発射モータ、発射ソレノイド等）と、当該発射された遊技球を所定の遊技領域（例えば遊技領域は遊技盤面等により構成される）に導く球通路（レールユニットの球案内通路）と、前記遊技領域内に配置された作動口、可変表示装置及び可変入賞装置とを備え、前記作動口へ遊技球の入賞が検知されることに基づいて、前記可変表示装置に表示される識別情報（図柄）を変動表示せしめ、所定時間後停止表示させるとともに、停止表示された識別情報（図柄）が特定態様である場合に前記可変表示装置を所定態様で開放させるように構成した弾球遊技機」が挙げられる。
【０２２４】
Ｃ．上記各手段における前記遊技機、又は、上記各弾球遊技機は、パチンコ機又はパチンコ機に準ずる遊技機であること。
【０２２５】
Ｄ．上記各手段における遊技機は、スロットマシン等の回胴式遊技機であること。より詳しい態様例としては、「複数の識別情報の付された複数の回転体を回転させた後に識別情報を確定停止表示する可変表示装置を備え、始動操作手段（具体的にはスタートレバー）の操作に起因して回転体の回転が開始され、停止操作手段（具体的にはストップボタン）の操作に起因して（又は所定時間経過することにより）回転体が停止され、その停止時に有効ライン上に揃った識別情報が特定の識別情報であることを条件に遊技媒体が付与されるよう構成した回胴式遊技機」が挙げられる。
【０２２６】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報の付された複数の回転体を回転させた後に識別情報を確定停止表示する可変表示装置を備え、始動操作手段（具体的にはスタートレバー）の操作に起因して回転体の回転が開始され、停止操作手段（具体的にはストップボタン）の操作に起因して（又は所定時間経過することにより）回転体が停止され、その停止時に有効ライン上に揃った識別情報が特定の識別情報であることを条件に遊技球が付与されるよう構成し、さらに球受皿（上皿等）を設けてその球受皿から遊技球を取り込む投入処理を行う投入装置と、前記球受皿に遊技球の払出しを行う払出装置とを備え、前記投入装置により遊技球が投入されることにより前記始動操作手段の操作が有効となるように構成した遊技機」が挙げられる。
【符号の説明】
【０２２７】
１０…遊技機としてのパチンコ機、１１…外枠、１２…遊技機本体としての内枠、１４…前面扉としての前面枠セット、１４ａ，１４ｂ…被扉係合部（被係合部）としての前面枠セット鉤部、３０…遊技盤、８３，８４…被内枠係合部としての爪馬、８９ａ…収容凹部、１６１…固定部、１６２…錠本体、１６３…伝達部材としてのカム板、１６６…リセットピン、１７５…膨出部、１７６…支持板膨出部、１７７…上段差部（段差部位）、１７８…下段差部（段差部位）、１８６…基枠、１８７…取付部としての取付板、１８７ｂ…カバー用取付孔（取付孔）、１８８…支持部としての支持板、１９１…摺動部材としての摺動杆、１９２，１９３…内枠係合部としての鉤部材、１９４，１９５…扉係合部（係合部）としての前面枠セット施錠部材、１９６…シリンダ錠、１９９…摺動操作部、２６１…主制御装置、２６２…サブ制御装置、４０１…施錠カバー、４０２…取付基部、４０３…保護部、４０４…収容部、４１７…突起部、４１８…操作孔、４２１…ねじ孔、４３３…係止片、７０１…取付手段としてのねじ、７０３…拡径部としての頭部、７０５…解除操作部，工具係合部を構成する十字穴、Ｇ１…施錠手段としての施錠装置。
【図１】
2014100483.tif 000003
【図２】
2014100483.tif 000004
【図３】
2014100483.tif 000005
【図４】
2014100483.tif 000006
【図５】
2014100483.tif 000007
【図６】
2014100483.tif 000008
【図７】
2014100483.tif 000009
【図８】
2014100483.tif 000010
【図９】
2014100483.tif 000011
【図１０】
2014100483.tif 000012
【図１１】
2014100483.tif 000013
【図１２】
2014100483.tif 000014
【図１３】
2014100483.tif 000015
【図１４】
2014100483.tif 000016
【図１５】
2014100483.tif 000017
【図１６】
2014100483.tif 000018
【図１７】
2014100483.tif 000019
【図１８】
2014100483.tif 000020
【図１９】
2014100483.tif 000021
【図２０】
2014100483.tif 000022
【図２１】
2014100483.tif 000023
【図２２】
2014100483.tif 000024
【図２３】
2014100483.tif 000025
【図２４】
2014100483.tif 000026
【図２５】
2014100483.tif 000027
【図２６】
2014100483.tif 000028
【図２７】
2014100483.tif 000029
【図２８】
2014100483.tif 000030
【図２９】
2014100483.tif 000031